(57)【特許請求の範囲】
【請求項１】
物体側から順に、負のパワーを持つ第１レンズ、正のパワーを持つ第２レンズ、負のパワーを持つ第３レンズ、正のパワーを持つ第４レンズ、および正のパワーを持つ第５レンズからなり、下記条件式を満足することを特徴とする撮像レンズ。
Ｎｄ３＜１．７５  …  （１）
νｄ３＜２７    …  （２）
０．０≦（Ｒ３＋Ｒ４）／（Ｒ３−Ｒ４）  …  （４）
ｆ１２／ｆ＜１．５  …  （５）
ただし、
Ｎｄ３：前記第３レンズの材質のｄ線に対する屈折率
νｄ３：前記第３レンズの材質のｄ線に対するアッベ数
Ｒ３：前記第２レンズの物体側の面の曲率半径
Ｒ４：前記第２レンズの像側の面の曲率半径
ｆ１２：前記第１レンズおよび前記第２レンズの合成焦点距離
ｆ：全系の焦点距離
【請求項２】
下記条件式を満足する請求項１記載の撮像レンズ。
０．０＜Ｒ１／ｆ  …  （６）
ただし、
Ｒ１：前記第１レンズの物体側の面の曲率半径
ｆ：全系の焦点距離
【請求項３】
下記条件式を満足する請求項１または２記載の撮像レンズ。
−３．０＜ｆ１／ｆ＜−０．５  …  （７）
ただし、
ｆ１：前記第１レンズの焦点距離
ｆ：全系の焦点距離
【請求項４】
下記条件式を満足する請求項１から３のいずれか１項記載の撮像レンズ。
−０．８＜（Ｒ８＋Ｒ９）／（Ｒ８−Ｒ９）＜０．８    …  （８）
ただし、
Ｒ８：前記第４レンズの物体側の面の曲率半径
Ｒ９：前記第４レンズの像側の面の曲率半径
【請求項５】
下記条件式を満足する請求項１から４のいずれか１項記載の撮像レンズ。
−２．５＜（Ｒ１０＋Ｒ１１）／（Ｒ１０−Ｒ１１）＜−０．４  …  （９）
ただし、
Ｒ１０：前記第５レンズの物体側の面の曲率半径
Ｒ１１：前記第５レンズの像側の面の曲率半径
【請求項６】
下記条件式を満足する請求項１から５のいずれか１項記載の撮像レンズ。
−２．０＜ｆ３／ｆ＜−０．２  …  （１０）
ただし、
ｆ３：前記第３レンズの焦点距離
ｆ：全系の焦点距離
【請求項７】
下記条件式を満足する請求項１から６のいずれか１項記載の撮像レンズ。
０．５＜ｆ４／ｆ＜２．５  …  （１１）
ただし、
ｆ４：前記第４レンズの焦点距離
ｆ：全系の焦点距離
【請求項８】
下記条件式を満足する請求項１から７のいずれか１項記載の撮像レンズ。
−３．５＜ｆ４５／ｆ３＜−０．３    …  （１２）
ただし、
ｆ４５：前記第４レンズおよび前記第５レンズの合成焦点距離
ｆ３：前記第３レンズの焦点距離
【請求項９】
下記条件式を満足する請求項１から８のいずれか１項記載の撮像レンズ。
０．５＜ｆ３４５／ｆ＜４．０  …  （１３）
ただし、
ｆ３４５：前記第３レンズ、前記第４レンズおよび前記第５レンズの合成焦点距離
ｆ：全系の焦点距離
【請求項１０】
下記条件式を満足する請求項１から９のいずれか１項記載の撮像レンズ。
０．２＜ｆ１２／ｆ３４５＜３．０  …  （１４）
ただし、
ｆ１２：前記第１レンズおよび前記第２レンズの合成焦点距離
ｆ３４５：前記第３レンズ、前記第４レンズおよび前記第５レンズの合成焦点距離
【請求項１１】
下記条件式を満足する請求項１から１０のいずれか１項記載の撮像レンズ。
０．２＜（ＤＡ＋ＤＢ）／ｆ＜３．０    …  （１５）
ただし、
ＤＡ：前記第２レンズの中心厚
ＤＢ：前記第２レンズおよび前記第３レンズの空気間隔
ｆ：全系の焦点距離
【請求項１２】
下記条件式を満足する請求項１から１１のいずれか１項記載の撮像レンズ。
−３．０＜ｆ１／ｆ２＜−０．６  …  （１６）
ただし、
ｆ１：前記第１レンズの焦点距離
ｆ２：前記第２レンズの焦点距離
【請求項１３】
前記第３レンズの像側の面は、中心と有効径端とがともに負のパワーを持ち、有効径端では中心と比較して負のパワーが弱い形状である請求項１から１２のいずれか１項記載の撮像レンズ。
【請求項１４】
前記第４レンズの物体側の面は、中心と有効径端とがともに正のパワーを持ち、有効径端では中心と比較して正のパワーが弱い形状である請求項１から１３のいずれか１項記載の撮像レンズ。
【請求項１５】
前記第５レンズの物体側の面は、中心と有効径端とがともに正のパワーを持ち、有効径端では中心と比較して正のパワーが弱い形状である請求項１から１４のいずれか１項記載の撮像レンズ。
【請求項１６】
さらに下記条件式を満足する請求項１記載の撮像レンズ。
Ｎｄ３＜１．７  …  （１−１）
ただし、
Ｎｄ３：前記第３レンズの材質のｄ線に対する屈折率
【請求項１７】
さらに下記条件式を満足する請求項１記載の撮像レンズ。
１．５５＜Ｎｄ３＜１．７  …  （１−３）
ただし、
Ｎｄ３：前記第３レンズの材質のｄ線に対する屈折率
【請求項１８】
さらに下記条件式を満足する請求項１記載の撮像レンズ。
νｄ３＜２６  …  （２−１）
ただし、
νｄ３：前記第３レンズの材質のｄ線に対するアッベ数
【請求項１９】
さらに下記条件式を満足する請求項１記載の撮像レンズ。
１９＜νｄ３＜２６  …  （２−２）
ただし、
νｄ３：前記第３レンズの材質のｄ線に対するアッベ数
【請求項２０】
さらに下記条件式を満足する請求項１記載の撮像レンズ。
０．０２≦（Ｒ３＋Ｒ４）／（Ｒ３−Ｒ４）＜１．０  …  （４−５）
ただし、
Ｒ３：前記第２レンズの物体側の面の曲率半径
Ｒ４：前記第２レンズの像側の面の曲率半径
【請求項２１】
さらに下記条件式を満足する請求項１記載の撮像レンズ。
１．０＜ｆ１２／ｆ＜１．４８  …  （５−４）
ただし、
ｆ１２：前記第１レンズおよび前記第２レンズの合成焦点距離
ｆ：全系の焦点距離
【請求項２２】
さらに下記条件式を満足する請求項２記載の撮像レンズ。
１．２＜Ｒ１／ｆ＜５  …  （６−４）
ただし、
Ｒ１：前記第１レンズの物体側の面の曲率半径
ｆ：全系の焦点距離
【請求項２３】
さらに下記条件式を満足する請求項１０記載の撮像レンズ。
０．３＜ｆ１２／ｆ３４５＜２．０  …  （１４−１）
ただし、
ｆ１２：前記第１レンズおよび前記第２レンズの合成焦点距離
ｆ３４５：前記第３レンズ、前記第４レンズおよび前記第５レンズの合成焦点距離
【請求項２４】
請求項１から２３のいずれか１項記載の撮像レンズを搭載した撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、携帯端末用カメラ、監視カメラ等に使用されるのに好適な撮像レンズ、およびこの撮像レンズを備えた撮像装置に関するものである。
【背景技術】
【０００２】
ＣＣＤやＣＭＯＳ等の撮像素子は近年非常に小型化および高画素化が進んでいる。それとともに、これら撮像素子を備えた撮像機器本体も小型化が進み、それに搭載される撮像レンズにも良好な光学性能に加え、小型化が求められている。一方、車載用カメラや監視カメラ等の用途では、小型化とともに、安価に構成可能で、広角で高性能であることが求められている。【０００３】
下記特許文献１〜３には、車載用カメラに搭載される撮像レンズとして、物体側から順に、負、正、負、正、正のレンズ配置からなる５枚構成の撮像レンズが提案されている。
【先行技術文献】
【特許文献】
【０００４】
【特許文献１】国際公開２０１２／０８６１９３号
【特許文献２】国際公開２０１２／０８６１９４号
【特許文献３】特開２０１０−１０７６０６号公報
【発明の概要】
【発明が解決しようとする課題】
【０００５】
ところで、車載用カメラや監視カメラ等に搭載される撮像レンズに対する要求は年々厳しくなっており、さらなる低コスト化、広角化および高性能化を図ることが望まれている。【０００６】
本発明は上記事情に鑑み、低コスト化、広角化および高性能化が実現可能な撮像レンズ、およびこの撮像レンズを備えた撮像装置を提供することを目的とするものである。
【課題を解決するための手段】
【０００７】
本発明の第１の撮像レンズは、物体側から順に、負のパワーを持つ第１レンズ、正のパワーを持つ第２レンズ、負のパワーを持つ第３レンズ、正のパワーを持つ第４レンズ、および正のパワーを持つ第５レンズからなり、下記条件式を満足することを特徴とするものである。【０００８】
Ｎｄ３＜１．７５  …  （１）
νｄ３＜２７    …  （２）
１．０≦（Ｒ１＋Ｒ２）／（Ｒ１−Ｒ２）  …  （３）
ただし、
Ｎｄ３：第３レンズの材質のｄ線に対する屈折率
νｄ３：第３レンズの材質のｄ線に対するアッベ数
Ｒ１：第１レンズの物体側の面の曲率半径
Ｒ２：第１レンズの像側の面の曲率半径
本発明の第２の撮像レンズは、物体側から順に、負のパワーを持つ第１レンズ、正のパワーを持つ第２レンズ、負のパワーを持つ第３レンズ、正のパワーを持つ第４レンズ、および正のパワーを持つ第５レンズからなり、下記条件式を満足することを特徴とするものである。【０００９】
Ｎｄ３＜１．７５  …  （１）
νｄ３＜２７    …  （２）
０．０≦（Ｒ３＋Ｒ４）／（Ｒ３−Ｒ４）  …  （４）
ｆ１２／ｆ＜１．５  …  （５）
ただし、
Ｎｄ３：第３レンズの材質のｄ線に対する屈折率
νｄ３：第３レンズの材質のｄ線に対するアッベ数
Ｒ３：第２レンズの物体側の面の曲率半径
Ｒ４：第２レンズの像側の面の曲率半径
ｆ１２：第１レンズおよび第２レンズの合成焦点距離
ｆ：全系の焦点距離
本発明の第３の撮像レンズは、物体側から順に、負のパワーを持つ第１レンズ、正のパワーを持つ第２レンズ、負のパワーを持つ第３レンズ、正のパワーを持つ第４レンズ、および正のパワーを持つ第５レンズからなり、第３レンズ、第４レンズおよび第５レンズの材質がプラスチックであり、下記条件式を満足することを特徴とするものである。【００１０】
νｄ３＜２７    …  （２）
１．０≦（Ｒ１＋Ｒ２）／（Ｒ１−Ｒ２）  …  （３）
ただし、
νｄ３：第３レンズの材質のｄ線に対するアッベ数
Ｒ１：第１レンズの物体側の面の曲率半径
Ｒ２：第１レンズの像側の面の曲率半径
なお、本発明の第１の撮像レンズは第２および第３の撮像レンズの少なくとも一方の構成を有するものであってもよく、本発明の第２の撮像レンズは第１および第３の撮像レンズの少なくとも一方の構成を有するものであってもよく、本発明の第３の撮像レンズは第１および第２の撮像レンズの少なくとも一方の構成を有するものであってもよい。【００１１】
本発明の撮像レンズは、５枚のレンズからなるものであるが、５枚のレンズ以外に、実質的にパワーを持たないレンズ、開口絞り、カバーガラス等のレンズ以外の光学要素、レンズフランジ、レンズバレル、撮像素子、手ぶれ補正機構等の機構部分等を持つものも含むものであってもよい。【００１２】
また、本発明においては、凸面、凹面、平面、両凹、メニスカス、両凸、平凸および平凹等といったレンズの面形状、正および負といったレンズの屈折力の符号は、非球面が含まれているものについてはとくに断りのない限り近軸領域で考えるものとする。また、本発明においては、曲率半径の符号は、面形状が物体側に凸面を向けた場合を正、像側に凸面を向けた場合を負とすることにする。「レンズ面の中心が正のパワーを持つ」とは、レンズ面の近軸曲率が、レンズ面が凸面を形成するような値となっていることを意味し、「レンズ面の中心が負のパワーを持つ」とは、レンズ面の近軸曲率が、レンズ面が凹面を形成するような値となっていることを意味する。【００１３】
なお、本発明の第１から第３の撮像レンズにおいては、第３レンズの像側の面が非球面であり、中心と有効径端とがともに負のパワーを持ち、有効径端では中心と比較して負のパワーが弱い形状を有するものとしてもよい。【００１４】
また、本発明の第１から第３の撮像レンズにおいては、第４レンズの物体側の面が非球面であり、中心と有効径端とがともに正のパワーを持ち、有効径端では中心と比較して正のパワーが弱い形状を有するものとしてもよい。【００１５】
また、本発明の第１から第３の撮像レンズにおいては、第５レンズの物体側の面が非球面であり、中心と有効径端とがともに正のパワーを持ち、有効径端では中心と比較して正のパワーが弱い形状を有するものとしてもよい。【００１６】
「有効径端で正のパワーを持つ」とは、有効径端で凸形状であることを意味する。「有効径端で負のパワーを持つ」とは、有効径端で凹形状であることを意味する。【００１７】
「有効径端では中心と比較してパワーが弱い形状」とは、正のパワーおよび負のパワーのいずれの場合であっても、「有効径端では中心と比較してパワーが弱い形状」であることを意味する。【００１８】
また、本発明の第１から第３の撮像レンズにおいては、第１レンズを物体側に凸面を向けたメニスカスレンズとしてもよい。【００１９】
上記本発明の第１から第３の撮像レンズにおいては、下記条件式（４）〜（１６）を満足することが好ましい。なお、好ましい態様としては、下記条件式（４）〜（１６）のいずれか１つの構成を有するものでもよく、あるいは任意の２つ以上を組み合わせた構成を有するものでもよい。【００２０】
０．０≦（Ｒ３＋Ｒ４）／（Ｒ３−Ｒ４）  …  （４）
ｆ１２／ｆ＜１．５  …  （５）
０．０＜Ｒ１／ｆ  …  （６）
−３．０＜ｆ１／ｆ＜−０．５  …  （７）
−０．８＜（Ｒ８＋Ｒ９）／（Ｒ８−Ｒ９）＜０．８    …  （８）
−２．５＜（Ｒ１０＋Ｒ１１）／（Ｒ１０−Ｒ１１）＜−０．４  …  （９）
−２．０＜ｆ３／ｆ＜−０．２  …  （１０）
０．５＜ｆ４／ｆ＜２．５  …  （１１）
−３．５＜ｆ４５／ｆ３＜−０．３    …  （１２）
０．５＜ｆ３４５／ｆ＜４．０  …  （１３）
０．２＜ｆ１２／ｆ３４５＜３．０  …  （１４）
０．２＜（ＤＡ＋ＤＢ）／ｆ＜３．０    …  （１５）
−３．０＜ｆ１／ｆ２＜−０．６  …  （１６）
ただし、
ｆ：全系の焦点距離
ｆ１：第１レンズの焦点距離
ｆ２：第２レンズの焦点距離
ｆ３：第３レンズの焦点距離
ｆ４：第４レンズの焦点距離
ｆ１２：第１レンズおよび第２レンズの合成焦点距離
ｆ４５：第４レンズおよび第５レンズの合成焦点距離
ｆ３４５：第３レンズ、第４レンズおよび第５レンズの合成焦点距離
Ｒ１：第１レンズの物体側の面の曲率半径
Ｒ３：第２レンズの物体側の面の曲率半径
Ｒ４：第２レンズの像側の面の曲率半径
Ｒ８：第４レンズの物体側の面の曲率半径
Ｒ９：第４レンズの像側の面の曲率半径
Ｒ１０：第５レンズの物体側の面の曲率半径
Ｒ１１：第５レンズの像側の面の曲率半径
ＤＡ：第２レンズの中心厚
ＤＢ：第２レンズおよび第３レンズの空気間隔
本発明の撮像装置は、上記記載の本発明の第１から第３の撮像レンズの少なくともいずれか１つを搭載したことを特徴とするものである。
【発明の効果】
【００２１】
本発明の第１の撮像レンズによれば、最小５枚のレンズ系において、全系におけるパワー配置等を好適に設定し、条件式（１）〜（３）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２２】
本発明の第２の撮像レンズによれば、最小５枚のレンズ系において、全系におけるパワー配置等を好適に設定し、条件式（１）、（２）、（４）、（５）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２３】
本発明の第３の撮像レンズによれば、最小５枚のレンズ系において、全系におけるパワー配置、およびレンズの材質等を好適に設定し、条件式（２）、（３）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２４】
本発明の撮像装置によれば、本発明の撮像レンズを備えているため、小型で安価に構成でき、広い画角での撮影が可能であり、解像度の高い良好な像を得ることができる。
【図面の簡単な説明】
【００２５】
【図１】本発明の一実施形態に係る撮像レンズの構成と光路を示す図
【図２】第３レンズの面形状等を説明するための図
【図３】本発明の実施例１の撮像レンズのレンズ構成を示す断面図
【図４】本発明の実施例２の撮像レンズのレンズ構成を示す断面図
【図５】本発明の実施例３の撮像レンズのレンズ構成を示す断面図
【図６】本発明の実施例４の撮像レンズのレンズ構成を示す断面図
【図７】本発明の実施例５の撮像レンズのレンズ構成を示す断面図
【図８】本発明の実施例６の撮像レンズのレンズ構成を示す断面図
【図９】本発明の実施例７の撮像レンズのレンズ構成を示す断面図
【図１０】本発明の実施例８の撮像レンズのレンズ構成を示す断面図
【図１１】本発明の実施例９の撮像レンズのレンズ構成を示す断面図
【図１２】本発明の実施例１０の撮像レンズのレンズ構成を示す断面図
【図１３】本発明の実施例１１の撮像レンズのレンズ構成を示す断面図
【図１４】本発明の実施例１２の撮像レンズのレンズ構成を示す断面図
【図１５】本発明の実施例１３の撮像レンズのレンズ構成を示す断面図
【図１６】図１６（Ａ）〜図１６（Ｄ）は本発明の実施例１の撮像レンズの各収差図
【図１７】図１７（Ａ）〜図１７（Ｄ）は本発明の実施例２の撮像レンズの各収差図
【図１８】図１８（Ａ）〜図１８（Ｄ）は本発明の実施例３の撮像レンズの各収差図
【図１９】図１９（Ａ）〜図１９（Ｄ）は本発明の実施例４の撮像レンズの各収差図
【図２０】図２０（Ａ）〜図２０（Ｄ）は本発明の実施例５の撮像レンズの各収差図
【図２１】図２１（Ａ）〜図２１（Ｄ）は本発明の実施例６の撮像レンズの各収差図
【図２２】図２２（Ａ）〜図２２（Ｄ）は本発明の実施例７の撮像レンズの各収差図
【図２３】図２３（Ａ）〜図２３（Ｄ）は本発明の実施例８の撮像レンズの各収差図
【図２４】図２４（Ａ）〜図２４（Ｄ）は本発明の実施例９の撮像レンズの各収差図
【図２５】図２５（Ａ）〜図２５（Ｄ）は本発明の実施例１０の撮像レンズの各収差図
【図２６】図２６（Ａ）〜図２６（Ｄ）は本発明の実施例１１の撮像レンズの各収差図
【図２７】図２７（Ａ）〜図２７（Ｄ）は本発明の実施例１２の撮像レンズの各収差図
【図２８】図２８（Ａ）〜図２８（Ｄ）は本発明の実施例１３の撮像レンズの各収差図
【図２９】本発明の実施形態に係る車載用の撮像装置の配置を説明するための図
【発明を実施するための形態】
【００２６】
以下、本発明の実施形態について図面を参照して詳細に説明する。
【００２７】
〔撮像レンズの実施形態〕
まず、図１を参照しながら、本発明の実施形態に係る撮像レンズについて説明する。図１は、本発明の実施形態に係る撮像レンズ１の構成と光路を示す図である。なお、図１に示す撮像レンズ１は後述する本発明の実施例１に係る撮像レンズに対応するものである。
【００２８】
図１では、図の左側が物体側、右側が像側であり、無限遠の距離にある物点からの軸上光束２、全画角２ωでの軸外光束３、４も併せて示してある。図１では、撮像レンズ１が撮像装置に適用される場合を考慮して、撮像レンズ１の像点Ｐｉｍを含む像面Ｓｉｍに配置された撮像素子５も図示している。撮像素子５は、撮像レンズ１により形成される光学像を電気信号に変換するものであり、例えばＣＣＤイメージセンサやＣＭＯＳイメージセンサ等を用いることができる。
【００２９】
なお、撮像レンズ１を撮像装置に適用する際には、レンズを装着するカメラ側の構成に応じて、カバーガラスや、ローパスフィルタまたは赤外線カットフィルタ等を設けることが好ましく、図１では、これらを想定した平行平板状の光学部材ＰＰを最も像側のレンズと撮像素子５（像面Ｓｉｍ）との間に配置した例を示している。
【００３０】
まず、本発明の第１の実施形態の構成について説明する。本発明の第１の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、および正のパワーを持つ第５レンズＬ５を備える。図１に示す例では、第２レンズＬ２と第３レンズＬ３との間に開口絞りＳｔが配置されている。なお、図１における開口絞りＳｔは、形状や大きさを表すものではなく、光軸Ｚ上の位置を示すものである。
【００３１】
また、第１の実施形態の撮像レンズは、下記条件式（１）〜（３）を満足するように構成されている。
【００３２】
Ｎｄ３＜１．７５  …  （１）
νｄ３＜２７    …  （２）
１．０≦（Ｒ１＋Ｒ２）／（Ｒ１−Ｒ２）  …  （３）
ただし、
Ｎｄ３：第３レンズＬ３の材質のｄ線に対する屈折率
νｄ３：第３レンズＬ３の材質のｄ線に対するアッベ数
Ｒ１：第１レンズＬ１の物体側の面の曲率半径
Ｒ２：第１レンズＬ１の像側の面の曲率半径
第１の実施形態の撮像レンズは、最も物体側のレンズである第１レンズＬ１を負のパワーを持つレンズとすることで、レンズ系を広角化でき、かつバックフォーカスの確保が容易となり、レンズ系の径方向の小型化も容易となる。第２レンズＬ２を正のパワーを持つレンズとすることで、球面収差および像面湾曲の補正が容易となる。また、第４レンズＬ４および第５レンズＬ５を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００３３】
条件式（１）の上限を満足することで、第３レンズＬ３の材質の屈折率を小さくすることができ、第３レンズＬ３のコストを抑えることが容易となる。
【００３４】
条件式（２）の上限を満足することで、第３レンズＬ３の材質のアッベ数を小さくすることが容易となり、軸上色収差の補正が容易となる。
【００３５】
第１レンズＬ１は負のパワーを持つため、条件式（３）の下限を満足することで、第１レンズＬ１を物体側に凸面を向けたメニスカスレンズとすることができ、ディストーションの補正が容易となる。
【００３６】
第１の実施形態の撮像レンズは、最小５枚という少ないレンズ枚数で構成することで、低コスト化とともに光軸方向の全長の小型化を図ることができる。また、バックフォーカスを確保することができ、さらには諸収差を良好に補正して、結像領域周辺部まで良好な像を得ることができる高い光学性能を有する撮像レンズを実現することができる。
【００３７】
次に、本発明の第２の実施形態の構成について説明する。本発明の第２の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、および正のパワーを持つ第５レンズＬ５を備える。また、図１に示す例では、第２レンズＬ２と第３レンズＬ３との間に開口絞りＳｔが配置されている。
【００３８】
また、第２の実施形態の撮像レンズは、下記条件式（１）、（２）、（４）、（５）を満足するように構成されている。
【００３９】
Ｎｄ３＜１．７５  …  （１）
νｄ３＜２７    …  （２）
０．０≦（Ｒ３＋Ｒ４）／（Ｒ３−Ｒ４）  …  （４）
ｆ１２／ｆ＜１．５  …  （５）
ただし、
Ｎｄ３：第３レンズＬ３の材質のｄ線に対する屈折率
νｄ３：第３レンズＬ３の材質のｄ線に対するアッベ数
Ｒ３：第２レンズＬ２の物体側の面の曲率半径
Ｒ４：第２レンズＬ２の像側の面の曲率半径
ｆ１２：第１レンズＬ１および第２レンズＬ２の合成焦点距離
ｆ：全系の焦点距離
第２の実施形態の撮像レンズは、最も物体側のレンズである第１レンズＬ１を負のパワーを持つレンズとすることで、レンズ系を広角化でき、かつバックフォーカスの確保が容易となり、レンズ系の径方向の小型化も容易となる。第２レンズＬ２を正のパワーを持つレンズとすることで、球面収差および像面湾曲の補正が容易となる。また、第４レンズＬ４および第５レンズＬ５を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００４０】
条件式（１）の上限を満足することで、第３レンズＬ３の材質の屈折率を小さくすることができ、第３レンズＬ３のコストを抑えることが容易となる。
【００４１】
条件式（２）の上限を満足することで、第３レンズＬ３の材質のアッベ数を小さくすることが容易となり、軸上色収差の補正が容易となる。
【００４２】
条件式（４）の下限を満足することで、第２レンズＬ２を、物体側の面の曲率半径の絶対値が、像側の面の曲率半径の絶対値より大きいレンズとすることが容易となり、ディストーションの補正が容易となる。
【００４３】
条件式（５）の上限を満足することで、第１レンズＬ１および第２レンズＬ２の合成焦点距離が正の値で大きくなるのを抑えることが容易となり、像面湾曲の補正が容易となる。
【００４４】
第２の実施形態の撮像レンズは、最小５枚という少ないレンズ枚数で構成することで、低コスト化とともに光軸方向の全長の小型化を図ることができる。また、バックフォーカスを確保することができ、さらには諸収差を良好に補正して、結像領域周辺部まで良好な像を得ることができる高い光学性能を有する撮像レンズを実現することができる。
【００４５】
次に、本発明の第３の実施形態の構成について説明する。本発明の第３の実施形態に係る撮像レンズは、物体側から順に、負のパワーを持つ第１レンズＬ１、正のパワーを持つ第２レンズＬ２、負のパワーを持つ第３レンズＬ３、正のパワーを持つ第４レンズＬ４、および正のパワーを持つ第５レンズＬ５を備え、第３レンズＬ３、第４レンズＬ４および第５レンズＬ５の材質がプラスチックとなっている。また、図１に示す例では、第２レンズＬ２と第３レンズＬ３との間に開口絞りＳｔが配置されている。
【００４６】
また、第３の実施形態の撮像レンズは、下記条件式（２）、（３）を満足するように構成されている。
【００４７】
νｄ３＜２７    …  （２）
１．０≦（Ｒ１＋Ｒ２）／（Ｒ１−Ｒ２）  …  （３）
ただし、
νｄ３：第３レンズＬ３の材質のｄ線に対するアッベ数
Ｒ１：第１レンズＬ１の物体側の面の曲率半径
Ｒ２：第１レンズＬ１の像側の面の曲率半径
第３の実施形態の撮像レンズは、最も物体側のレンズである第１レンズＬ１を負のパワーを持つレンズとすることで、レンズ系を広角化でき、かつバックフォーカスの確保が容易となり、レンズ系の径方向の小型化も容易となる。第２レンズＬ２を正のパワーを持つレンズとすることで、球面収差および像面湾曲の補正が容易となる。また、第４レンズＬ４および第５レンズＬ５を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００４８】
また、第３の実施形態の撮像レンズは、第３レンズＬ３、第４レンズおよび第５レンズの材質をプラスチックとすることで、レンズ系のコストを抑えることが容易となる。
【００４９】
条件式（２）の上限を満足することで、第３レンズＬ３の材質のアッベ数を小さくすることが容易となり、軸上色収差の補正が容易となる。
【００５０】
第１レンズＬ１は負のパワーを持つため、条件式（３）の下限を満足することで、第１レンズＬ１を物体側に凸面を向けたメニスカスレンズとすることができ、ディストーションの補正が容易となる。
【００５１】
第３の実施形態の撮像レンズは、最小５枚という少ないレンズ枚数で構成することで、低コスト化とともに光軸方向の全長の小型化を図ることができる。また、バックフォーカスを確保することができ、さらには諸収差を良好に補正して、結像領域周辺部まで良好な像を得ることができる高い光学性能を有する撮像レンズを実現することができる。
【００５２】
なお、第１の実施形態に係る撮像レンズは、第２の実施形態に係る撮像レンズまたは第３の実施形態に係る撮像レンズの構成を有していてもよく、第２および第３の実施形態に係る撮像レンズの構成を有していてもよい。また、第２の実施形態に係る撮像レンズは、第１の実施形態に係る撮像レンズまたは第３の実施形態に係る撮像レンズの構成を有していてもよく、第１および第３の実施形態に係る撮像レンズの構成を有していてもよい。また、第３の実施形態に係る撮像レンズは、第１の実施形態に係る撮像レンズまたは第２の実施形態に係る撮像レンズの構成を有していてもよく、第１および第２の実施形態に係る撮像レンズの構成を有していてもよい。
【００５３】
次に、本発明の上記第１から第３の実施形態に係る撮像レンズが有することが好ましい構成を挙げて、その作用効果について説明する。なお、好ましい態様としては、以下のいずれか１つの構成を有するものでもよく、あるいは任意の２つ以上を組み合わせた構成を有するものでもよい。
【００５４】
０．０≦（Ｒ３＋Ｒ４）／（Ｒ３−Ｒ４）  …  （４）
ｆ１２／ｆ＜１．５  …  （５）
０．０＜Ｒ１／ｆ  …  （６）
−３．０＜ｆ１／ｆ＜−０．５  …  （７）
−０．８＜（Ｒ８＋Ｒ９）／（Ｒ８−Ｒ９）＜０．８    …  （８）
−２．５＜（Ｒ１０＋Ｒ１１）／（Ｒ１０−Ｒ１１）＜−０．４  …  （９）
−２．０＜ｆ３／ｆ＜−０．２  …  （１０）
０．５＜ｆ４／ｆ＜２．５  …  （１１）
−３．５＜ｆ４５／ｆ３＜−０．３    …  （１２）
０．５＜ｆ３４５／ｆ＜４．０  …  （１３）
０．２＜ｆ１２／ｆ３４５＜３．０  …  （１４）
０．２＜（ＤＡ＋ＤＢ）／ｆ＜３．０    …  （１５）
−３．０＜ｆ１／ｆ２＜−０．６  …  （１６）
ただし、
ｆ：全系の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ１２：第１レンズＬ１および第２レンズＬ２の合成焦点距離
ｆ４５：第４レンズＬ４および第５レンズＬ５の合成焦点距離
ｆ３４５：第３レンズＬ３、第４レンズＬ４および第５レンズＬ５の合成焦点距離
Ｒ１：第１レンズＬ１の物体側の面の曲率半径
Ｒ３：第２レンズＬ２の物体側の面の曲率半径
Ｒ４：第２レンズＬ２の像側の面の曲率半径
Ｒ８：第４レンズＬ４の物体側の面の曲率半径
Ｒ９：第４レンズＬ４の像側の面の曲率半径
Ｒ１０：第５レンズＬ５の物体側の面の曲率半径
Ｒ１１：第５レンズＬ５の像側の面の曲率半径
ＤＡ：第２レンズＬ２の中心厚
ＤＢ：第２レンズＬ２および第３レンズＬ３の空気間隔
条件式（４）の下限を満足することで、第２レンズＬ２を、物体側の面の曲率半径の絶対値が、像側の面の曲率半径の絶対値より大きいレンズとすることが容易となり、ディストーションの補正が容易となる。
【００５５】
条件式（５）の上限を満足することで、第１レンズＬ１および第２レンズＬ２の合成焦点距離が正の値で大きくなるのを抑えることが容易となり、像面湾曲の補正が容易となる。
【００５６】
条件式（６）の下限を満足することで、第１レンズＬ１のパワーを抑えることが容易となり、かつ第１レンズＬ１の物体側の面で光線を急激に曲げることなく集光することができるため、ディストーションの補正が容易となる。
【００５７】
条件式（７）の上限を満足することで、第１レンズＬ１のパワーを抑えることが容易となり、像面湾曲およびディストーションの補正が容易となる。条件式（７）の下限を満足することで、第１レンズＬ１のパワーを強くすることが容易となり、広角化が容易となる。
【００５８】
条件式（８）の上限および下限を満足することで、第４レンズＬ４を両凸レンズとすることができ、第４レンズＬ４のパワーを強くすることが容易となり、球面収差および像面湾曲の補正が容易となり、かつ第３レンズＬ３との間で軸上色収差の補正が容易となる。条件式（８）の上限を満足することでと、第４レンズＬ４の物体側の面の曲率半径が小さくなりすぎるのを抑えることが容易となり、軸上色収差の補正が容易となる。条件式（８）の下限を満足することで、第４レンズＬ４の像側の面の曲率半径が小さくなりすぎるのを抑えることが容易となり、像面湾曲およびコマ収差の補正が容易となる。
【００５９】
条件式（９）の上限を満足することで、第５レンズＬ５のパワーを抑えることが容易となり、球面収差の補正が容易となるか、バックフォーカスの確保が容易となる。条件式（９）の下限を満足することで、第５レンズＬ５のパワーを強くすることが容易となり、球面収差の補正が容易となるか、周辺光線が像面に入射する角度を抑えることが容易となり、シェーディングを抑えることが容易となる。
【００６０】
条件式（１０）の上限を満足することで、第３レンズＬ３のパワーを抑えることが容易となり、偏心による誤差感度を抑えることが容易となる。条件式（１０）の下限を満足することで、第３レンズＬ３のパワーを大きくすることが容易となり、軸上色収差を抑えることが容易となる。
【００６１】
条件式（１１）の上限を満足することで、第４レンズＬ４のパワーを強くすることが容易となり、第３レンズＬ３との間で軸上色収差を抑えることが容易となる。条件式（１１）の下限を満足することで、第４レンズＬ４のパワーを抑えることが容易となり、第５レンズＬ５との間で正のパワーを分割することが容易となり、球面収差の補正が容易となる。
【００６２】
条件式（１２）の上限を満足することで、第４レンズＬ４および第５レンズＬ５の合成パワーを強くすることが容易となり、系を小型化し、かつ周辺光線が像面に入射する角度を抑えることが容易となる。条件式（１２）の下限を満足することで、第３レンズＬ３のパワーを強くすることが容易となり、軸上色収差の補正が容易となる。
【００６３】
条件式（１３）の上限を満足することで、第３レンズＬ３から第５レンズＬ５の合成パワーを強くすることができ、レンズ系の小型化が容易となるか、周辺光線が像面に入射する角度を抑えることが容易となる。条件式（１３）の下限を満足することで、第３レンズＬ３から第５レンズＬ５の合成パワーが強くなるのを抑えることが容易となり、バックフォーカスの確保が容易となり、かつ軸上色収差の補正が容易となる。
【００６４】
第１レンズＬ１は負のパワーを持ち、第２レンズＬ２は正のパワーを持ち、第３レンズＬ３は負のパワーを持ち、第４レンズＬ４および第５レンズＬ５は正のパワーを持つため、物体側から順に負、正、負、正のパワー配置となっており、第１レンズＬ１と第２レンズＬ２、および第３レンズＬ３から第５レンズＬ５において、それぞれ負、正のパワーの組み合わせとすることで、各レンズで生じる収差を打ち消しあい、良好な解像性能を得ることが容易となる。また、条件式（１４）を満足することで、第１レンズＬ１と第２レンズＬ２、および第３レンズＬ３から第５レンズＬ５のパワーのバランスをとることができ、球面収差および像面湾曲の補正が容易となる。
【００６５】
条件式（１４）の上限を満足することで、第３レンズＬ３から第５レンズＬ５までの合成のパワーが強くなるのを抑えることが容易となり、バックフォーカスの確保が容易となるか、第１レンズＬ１および第２レンズＬ２の合成パワーを強くすることが容易となり、像面湾曲の補正が容易となる。条件式（１４）の下限を満足することで、第３レンズＬ３から第５レンズＬ５までの合成のパワーを強くすることが容易となり、レンズ系の小型化が容易となるか、周辺光線が像面に入射する角度を抑えることが容易となる。
【００６６】
条件式（１５）の上限を満足することで、レンズ系の小型化が容易となる。条件式（１５）の下限を満足することで、第２レンズＬ２の中心厚を大きくする、もしくは第２レンズＬ２と第３レンズＬ３との間隔を広くすることが容易となり、球面収差および像面湾曲の補正が容易となる。
【００６７】
条件式（１６）の上限を満足することで、第２レンズＬ２のパワーを強くすることが容易となり、球面収差および像面湾曲の補正が容易となるか、第１レンズＬ１のパワーが強くなるのを抑えることが容易となり、ディストーションの補正が容易となる。条件式（１６）の下限を満足することで、第１レンズＬ１のパワーを強くすることが容易となり、広角化が容易となる。
【００６８】
なお、上記の作用効果を高めるためには、上記の各条件式について、さらに以下のように上限を追加したり、下限を追加したり、下限または上限を変更したりしたものを満足することが好ましい。また、好ましい態様としては、以下に述べる下限の変更値と上限の変更値とを組み合わせて構成される条件式を満足するものでもよい。下記に例として好ましい条件式の変更例を述べるが、条件式の変更例は下記に式として記載されたものに限定されず、記載された変更値を組み合わせたものとしてもよい。
【００６９】
条件式（１）の上限は１．７とすることがより好ましく、１．６８とすることがさらに好ましい。条件式（１）に下限を設けることが好ましく、下限としては１．５０とすることが好ましく、１．５５とすることがより好ましく、１．５８とすることがさらに好ましい。これにより、第３レンズＬ３の屈折率を高くすることがより容易となり、第３レンズＬ３のパワーを強くすることが容易となるため軸上色収差の補正がより容易となる。上記より、例えば下記条件式（１−１）〜（１−３）を満足することがより好ましい。
【００７０】
Ｎｄ３＜１．７  …（１−１）
Ｎｄ３＜１．６８  …  （１−２）
１．５５＜Ｎｄ３＜１．７  …  （１−３）
条件式（２）の上限は２６とすることが好ましく、これにより、第３レンズＬ３の材質のアッベ数を小さくすることがより容易となり、軸上色収差の補正がより容易となる。条件式（２）の上限は２５とすることがより好ましく、２４とすることがさらに好ましい。条件式（２）に下限を設けることが好ましく、下限は１８とすることが好ましく、１９とすることがより好ましい。これにより、第３レンズＬ３の材料コストを抑えることが容易となり、レンズ系を安価にすることが容易となる。上記より、例えば下記条件式（２−１）〜（２−３）を満足することがより好ましい。
【００７１】
νｄ３＜２６  …  （２−１）
１９＜νｄ３＜２６  …  （２−２）
νｄ３＜２５  …  （２−３）
条件式（３）の下限は１．０５とすることが好ましく、これにより、ディストーションの補正がより容易となる。条件式（３）の下限は１．１とすることがより好ましく、１．２とすることがさらに好ましく、１．３とすることがさらにより好ましい。条件式（３）に上限を設けることが好ましく、上限は５．０とすることが好ましく、これにより、第１レンズＬ１の物体側の面の曲率半径絶対値と像側の面の曲率半径絶対値とが近くなるのを防ぐことが容易となり、第１レンズＬ１のパワーを強くすることが容易となるため、広角化が容易となる。条件式（３）の上限は３．５とすることがより好ましく、２．６とすることがさらに好ましい。上記より、例えば下記条件式（３−１）〜（３−５）を満足することがより好ましい。
【００７２】
１．０５≦（Ｒ１＋Ｒ２）／（Ｒ１−Ｒ２）  …  （３−１）
１．１≦（Ｒ１＋Ｒ２）／（Ｒ１−Ｒ２）  …  （３−２）
１．２≦（Ｒ１＋Ｒ２）／（Ｒ１−Ｒ２）  …  （３−３）
１．０５≦（Ｒ１＋Ｒ２）／（Ｒ１−Ｒ２）≦３．５  …  （３−４）
１．１≦（Ｒ１＋Ｒ２）／（Ｒ１−Ｒ２）≦２．６  …  （３−５）
条件式（４）の下限は０．０２とすることが好ましく、これにより、第２レンズＬ２の物体側の面の曲率半径の絶対値を、像側の面の曲率半径の絶対値より大きくすることがより容易となり、ディストーションの補正がより容易となる。条件式（４）に上限を設けることが好ましく、上限は５．０とすることが好ましく、これにより、第２レンズＬ２を両凸レンズとすることができるため、第２レンズＬ２のパワーを強くすることが容易となり、像面湾曲の補正が容易となる。条件式（４）の上限は１．０とすることがより好ましく、０．５とすることがさらに好ましく、０．３とすることがさらにより好ましい。上記より、例えば下記条件式（４−１）〜（４−５）を満足することがより好ましい。
【００７３】
０．０≦（Ｒ３＋Ｒ４）／（Ｒ３−Ｒ４）＜５．０  …  （４−１）
０．０≦（Ｒ３＋Ｒ４）／（Ｒ３−Ｒ４）＜１．０  …  （４−２）
０．０≦（Ｒ３＋Ｒ４）／（Ｒ３−Ｒ４）＜０．５  …  （４−３）
０．０≦（Ｒ３＋Ｒ４）／（Ｒ３−Ｒ４）＜０．３  …  （４−４）
０．０２≦（Ｒ３＋Ｒ４）／（Ｒ３−Ｒ４）＜１．０  …  （４−５）
条件式（５）の上限は１．４８とすることが好ましく、１．４５とすることがより好ましい。これにより、第１レンズＬ１および第２レンズＬ２の合成焦点距離が正の値で小さくなりすぎるのを抑えることがより容易となり、広角化がより容易となる。条件式（５）に下限を設けることが好ましく、下限は０．０とすることが好ましく、これにより、第１レンズＬ１および第２レンズＬ２の合成焦点距離が小さくなるのを抑えることが容易となり、像面湾曲の補正が容易となる。条件式（５）の下限は０．５とすることがより好ましく、１．０とすることがさらに好ましく、１．１とすることがさらにより好ましい。上記より、例えば下記条件式（５−１）〜（５−４）を満足することがより好ましい。
【００７４】
ｆ１２／ｆ＜１．４８  …  （５−１）
ｆ１２／ｆ＜１．４５  …  （５−２）
０．０＜ｆ１２／ｆ＜１．５  …  （５−３）
１．０＜ｆ１２／ｆ＜１．４８  …  （５−４）
条件式（６）の下限は０．５とすることが好ましく、これにより、第１レンズＬ１のパワーを抑えることがより容易となり、かつ第１レンズＬ１の物体側の面で光線を急激に曲げることなく集光することができるため、ディストーションの補正がより容易となる。条件式（６）の下限は１．０とすることがより好ましく、１．２とすることがさらに好ましく、１．４とすることがさらにより好ましい。条件式（６）に上限を設けることが好ましく、上限は１００とすることが好ましく、これにより、第１レンズＬ１の物体側の面の曲率半径を小さくすることが容易となり、広い画角から入ってきた光線が、この面で光線が急激に曲がるのを防ぐことが容易となり、ディストーションの補正がさらに容易となる。条件式（６）の上限は６０とすることがより好ましく、２０とすることがさらに好ましく、１０とすることがさらにより好ましく、５とすることがより一層好ましい。上記より、例えば下記条件式（６−１）〜（６−５）を満足することがより好ましい。
【００７５】
０．５＜Ｒ１／ｆ    …  （６−１）
１．２＜Ｒ１／ｆ    …  （６−２）
１．４＜Ｒ１／ｆ    …  （６−３）
１．２＜Ｒ１／ｆ＜５  …  （６−４）
０．５＜Ｒ１／ｆ＜６０  …  （６−５）
条件式（７）の上限は−０．７とすることが好ましく、これにより、第１レンズＬ１のパワーを抑えることが容易となり、像面湾曲およびディストーションの補正がさらに容易となる。条件式（７）の上限は−０．８とすることがより好ましく、−０．９とすることがさらに好ましく、−１．０とすることがさらにより好ましい。条件式（７）の下限は−２．７とすることが好ましく、これにより、第１レンズＬ１のパワーを強くすることがさらに容易となり、広角化がさらに容易となる。条件式（７）の下限は−２．５とすることがより好ましく、−２．０とすることがさらに好ましい。上記より、例えば下記条件式（７−１）〜（７−５）を満足することがより好ましい。
【００７６】
−２．７＜ｆ１／ｆ＜−０．７  …  （７−１）
−２．５＜ｆ１／ｆ＜−０．８  …  （７−２）
−２．５＜ｆ１／ｆ＜−０．９  …  （７−３）
−２．７＜ｆ１／ｆ＜−１．０  …  （７−４）
−２．０＜ｆ１／ｆ＜−０．８  …  （７−５）
条件式（８）の上限は０．６とすることが好ましく、これにより、第４レンズＬ４の物体側の面の曲率半径を抑えることがより容易となり、軸上色収差の補正がより容易となる。条件式（８）の上限は０．５とすることがより好ましく、０．４とすることがさらに好ましい。条件式（８）の下限は−０．６とすることが好ましく、これにより、第４レンズＬ４の像側の面の曲率半径を抑えることがより容易となり、像面湾曲およびコマ収差の補正がより容易となる。条件式（８）の下限は−０．５とすることがより好ましく、−０．４とすることがさらに好ましく、−０．３とすることがさらにより好ましい。上記より、例えば下記条件式（８−１）〜（８−５）を満足することがより好ましい。
【００７７】
−０．６＜（Ｒ８＋Ｒ９）／（Ｒ８−Ｒ９）＜０．６  …  （８−１）
−０．５＜（Ｒ８＋Ｒ９）／（Ｒ８−Ｒ９）＜０．５  …  （８−２）
−０．４＜（Ｒ８＋Ｒ９）／（Ｒ８−Ｒ９）＜０．４  …  （８−３）
−０．８＜（Ｒ８＋Ｒ９）／（Ｒ８−Ｒ９）＜０．６  …  （８−４）
−０．６＜（Ｒ８＋Ｒ９）／（Ｒ８−Ｒ９）＜０．８  …  （８−５）
条件式（９）の上限は−０．５とすることが好ましく、これにより、第５レンズＬ５のパワーを抑えることがより容易となり、球面収差の補正がより容易となるか、バックフォーカスの確保がより容易となる。条件式（９）の上限は−０．６とすることがより好ましく、−０．７とすることがさらに好ましい。条件式（９）の下限は−２．０とすることが好ましく、これにより、第５レンズＬ５のパワーを強くすることがより容易となり、球面収差の補正が容易となるか、周辺光線が像面に入射する角度を抑えることが容易となり、シェーディングを抑えることがより容易となる。条件式（９）の下限は−１．８とすることがより好ましく、−１．５とすることがさらに好ましく、−１．３とすることがさらにより好ましい。上記より、例えば下記条件式（９−１）〜（９−５）を満足することがより好ましい。
【００７８】
−２．０＜（Ｒ９＋Ｒ１０）／（Ｒ９−Ｒ１０）＜−０．５  …  （９−１）
−１．８＜（Ｒ９＋Ｒ１０）／（Ｒ９−Ｒ１０）＜−０．６  …  （９−２）
−１．５＜（Ｒ９＋Ｒ１０）／（Ｒ９−Ｒ１０）＜−０．７  …  （９−３）
−２．０＜（Ｒ９＋Ｒ１０）／（Ｒ９−Ｒ１０）＜−０．７  …  （９−４）
−１．３＜（Ｒ９＋Ｒ１０）／（Ｒ９−Ｒ１０）＜−０．４  …  （９−５）
条件式（１０）の上限は−０．３とすることが好ましく、これにより、第３レンズＬ３のパワーを抑えることがより容易となり、偏心による誤差感度を抑えることがより容易となる。条件式（１０）の上限は−０．４とすることがより好ましい。条件式（１０）の下限は−１．８とすることが好ましく、これにより、第３レンズＬ３のパワーを強くすることがより容易となり、軸上色収差を抑えることがより容易となる。条件式（１０）の下限は−１．５とすることがより好ましく、−１．０とすることがさらに好ましく、−０．９とすることがさらにより好ましい。上記より、例えば下記条件式（１０−１）〜（１０−５）を満足することがより好ましい。
【００７９】
−１．８＜ｆ３／ｆ＜−０．３  …  （１０−１）
−１．５＜ｆ３／ｆ＜−０．３  …  （１０−２）
−２．０＜ｆ３／ｆ＜−０．４  …  （１０−３）
−１．０＜ｆ３／ｆ＜−０．２  …  （１０−４）
−１．５＜ｆ３／ｆ＜−０．４  …  （１０−５）
条件式（１１）の上限は２．２とすることが好ましく、これにより、第４レンズＬ４のパワーを強くすることがより容易となり、第３レンズＬ３との間で軸上色収差を抑えることがより容易となる。条件式（１１）の上限は２．０とすることがより好ましく、１．８とすることがさらに好ましい。条件式（１１）の下限は０．６とすることが好ましく、これにより、第４レンズＬ４のパワーを抑えることがより容易となり、第５レンズＬ５との間で正のパワーを分割することがより容易となり、球面収差の補正がより容易となる。条件式（１１）の下限は０．７とすることがより好ましく、０．８とすることがさらに好ましい。上記より、例えば下記条件式（１１−１）〜（１１−５）を満足することがより好ましい。
【００８０】
０．６＜ｆ４／ｆ＜２．２  …  （１１−１）
０．７＜ｆ４／ｆ＜２．０  …  （１１−２）
０．８＜ｆ４／ｆ＜１．８  …  （１１−３）
０．５＜ｆ４／ｆ＜２．２  …  （１１−４）
０．６＜ｆ４／ｆ＜２．０  …  （１１−５）
条件式（１２）の上限は−０．５とすることが好ましく、これにより、第４レンズＬ４および第５レンズＬ５の合成パワーを強くすることがより容易となり、系を小型化し、かつ周辺光線が像面に入射する角度を抑えることがより容易となる。条件式（１２）の上限は−０．６とすることがより好ましく、−０．７とすることがさらに好ましく、−０．８とすることがさらにより好ましい。条件式（１２）の下限は−３．０とすることが好ましく、これにより、第３レンズＬ３のパワーを強くすることがより容易となり、軸上色収差の補正がより容易となる。条件式（１２）の下限は−２．５とすることがより好ましく、−２．０とすることがさらに好ましく、−１．５とすることがさらにより好ましい。上記より、例えば下記条件式（１２−１）〜（１２−３）を満足することがより好ましい。
【００８１】
−３．０＜ｆ４５／ｆ３＜−０．５  …  （１２−１）
−２．５＜ｆ４５／ｆ３＜−０．６  …  （１２−２）
−２．０＜ｆ４５／ｆ３＜−０．７  …  （１２−３）
条件式（１３）の上限は３．５とすることが好ましく、これにより、第３レンズＬ３から第５レンズＬ５の合成パワーを強くすることができ、レンズ系の小型化がより容易となるか、周辺光線が像面に入射する角度を抑えることがより容易となる。条件式（１３）の上限は３．２とすることがより好ましく、２．７とすることがさらに好ましい。条件式（１３）の下限は０．７とすることが好ましく、これにより、第３レンズＬ３から第５レンズＬ５の合成パワーが強くなるのを抑えることがより容易となり、バックフォーカスの確保がより容易となり、かつ軸上色収差の補正がより容易となる。条件式（１３）の下限は１．０とすることがより好ましく、１．２とすることがさらに好ましく、１．５とすることがさらにより好ましい。上記より、例えば下記条件式（１３−１）〜（１３−５）を満足することがより好ましい。
【００８２】
０．７＜ｆ３４５／ｆ＜４．０  …  （１３−１）
１．２＜ｆ３４５／ｆ＜３．５  …  （１３−２）
１．５＜ｆ３４５／ｆ＜３．２  …  （１３−３）
０．７＜ｆ３４５／ｆ＜３．２  …  （１３−４）
１．０＜ｆ３４５／ｆ＜２．７  …  （１３−５）
条件式（１４）の上限は２．０とすることが好ましく、これにより、第３レンズＬ３から第５レンズＬ５までの合成のパワーが強くなるのを抑えることがより容易となり、バックフォーカスの確保がより容易となるか、第１レンズＬ１および第２レンズＬ２の合成パワーを強くすることがより容易となり、像面湾曲の補正が容易となる。条件式（１４）の上限は１．５とすることがより好ましく、１．０とすることがさらに好ましい。条件式（１４）の下限は０．３とすることが好ましく、これにより、第３レンズＬ３から第５レンズＬ５までの合成のパワーを強くすることがより容易となり、レンズ系の小型化がより容易となるか、周辺光線が像面に入射する角度を抑えることがより容易となる。条件式（１４）の下限は０．４とすることがより好ましい。上記より、例えば下記条件式（１４−１）〜（１４−４）を満足することがより好ましい。
【００８３】
０．３＜ｆ１２／ｆ３４５＜２．０    …  （１４−１）
０．４＜ｆ１２／ｆ３４５＜２．０    …  （１４−２）
０．４＜ｆ１２／ｆ３４５＜１．５    …  （１４−３）
０．３＜ｆ１２／ｆ３４５＜１．０    …  （１４−４）
条件式（１５）の上限は２．５とすることが好ましく、これにより、レンズ系の小型化がより容易となる。条件式（１５）の上限は２．１とすることがより好ましく、１．８とすることがさらに好ましい。条件式（１５）の下限は０．４とすることが好ましく、これにより、第２レンズＬ２の中心厚を大きくするもしくは、第２レンズＬ２と第３レンズＬ３との間隔を広くすることがより容易となり、球面収差および像面湾曲の補正がより容易となる。条件式（１５）の下限は０．５とすることがより好ましく、０．７とすることがさらに好ましい。上記より、例えば下記条件式（１５−１）〜（１５−４）を満足することがより好ましい。
【００８４】
０．４＜（ＤＡ＋ＤＢ）／ｆ＜２．５  …  （１５−１）
０．５＜（ＤＡ＋ＤＢ）／ｆ＜２．１  …  （１５−２）
０．７＜（ＤＡ＋ＤＢ）／ｆ＜１．８  …  （１５−３）
０．４＜（ＤＡ＋ＤＢ）／ｆ＜２．１  …  （１５−４）
条件式（１６）の上限は−０．７とすることが好ましく、これにより、第２レンズＬ２のパワーを強くすることがより容易となり、球面収差および像面湾曲の補正がより容易となるか、第１レンズＬ１のパワーが強くなるのを抑えることがより容易となり、ディストーションの補正がより容易となる。条件式（１６）の上限は−０．８とすることがより好ましく、−０．９とすることがさらに好ましい。条件式（１６）の下限は−２．５とすることが好ましく、これにより、第１レンズＬ１のパワーを強くすることがより容易となり、広角化がより容易となる。条件式（１６）の下限は−２．３とすることがより好ましく、−２．１とすることがさらに好ましい。上記より、例えば下記条件式（１６−１）〜（１６−５）を満足することがより好ましい。
【００８５】
−２．５＜ｆ１／ｆ２＜−０．７  …  （１６−１）
−２．３＜ｆ１／ｆ２＜−０．８  …  （１６−２）
−２．１＜ｆ１／ｆ２＜−０．９  …  （１６−３）
−２．３＜ｆ１／ｆ２＜−０．７  …  （１６−４）
−２．５＜ｆ１／ｆ２＜−０．８  …  （１６−５）
第１レンズＬ１の材質のｄ線に対するアッベ数νｄ１は４０以上とすることが好ましく、これにより、軸上色収差および倍率色収差を良好に補正することが可能となる。また、４５以上とすることがより好ましく、５０以上とすることがさらに好ましい。
【００８６】
第１レンズＬ１の材質のｄ線に対するアッベ数νｄ１は８５以下とすることが好ましく、これにより、第１レンズＬ１の材質のコストを抑えることが容易となる。また、７５以下とすることがより好ましい。
【００８７】
第２レンズＬ２の材質のｄ線に対するアッベ数νｄ２は３０以上とすることが好ましく、これにより、軸上色収差を良好に補正することが可能となる。また、３５以上とすることがより好ましく、３８以上とすることがさらに好ましい。
【００８８】
第２レンズＬ２の材質のｄ線に対するアッベ数νｄ２は６０以下とすることが好ましく、これにより、第２レンズＬ２の材質のコストを下げることが容易となり、かつ倍率色収差の補正も容易となる。また、５５以下とすることがより好ましく、５０以下とすることがさらに好ましい。
【００８９】
第１レンズＬ１の材質のｄ線に対するアッベ数をνｄ１、第２レンズＬ２の材質のｄ線に対するアッベ数をνｄ２としたとき、νｄ１／νｄ２は１．０以上であることが好ましい。これにより、第１レンズＬ１の材質のアッベ数νｄ１を大きくすることが容易となり、軸上色収差の補正が容易となるか、第２レンズＬ２の材質のアッベ数νｄ２が大きくなりすぎるのを抑えることが容易となり、倍率色収差の補正が容易となる。νｄ１／νｄ２は１．６以下であることが好ましく、これにより、第２レンズＬ２の材質のアッベ数が小さくなりすぎるのを抑えることが容易となり、軸上色収差の補正が容易となる。
【００９０】
第３レンズＬ３の材質のｄ線に対するアッベ数νｄ３は２７以下とすることが好ましく、これにより、軸上色収差を良好に補正することが可能となる。また、２６以下とすることがより好ましく、２５以下とすることがさらに好ましい。
【００９１】
第３レンズＬ３の材質のｄ線に対するアッベ数νｄ３は１９以上とすることが好ましく、これにより、第３レンズＬ３の材質のコストを抑えることが容易となり、レンズ系を安価に構成することが容易となる。
【００９２】
第４レンズＬ４の材質のｄ線に対するアッベ数νｄ４は４０以上とすることが好ましく、これにより、軸上色収差および倍率色収差を良好に補正することが可能となる。また、４５以上とすることがより好ましく、５０以上とすることがさらに好ましい。
【００９３】
第４レンズＬ４の材質のｄ線に対するアッベ数νｄ４は７０以下とすることが好ましく、これにより、第４レンズＬ４の材質のコストを抑えることが容易となり、レンズ系を安価にすることが容易となる。また、６５以下とすることがより好ましく、６０以下とすることがさらに好ましい。
【００９４】
第５レンズＬ５の材質のｄ線に対するアッベ数νｄ５は４０以上とすることが好ましく、これにより、軸上色収差および倍率色収差を良好に補正することが可能となる。また、４５以上とすることがより好ましく、５０以上とすることがさらに好ましい。
【００９５】
第５レンズＬ５の材質のｄ線に対するアッベ数νｄ５は７０以下とすることが好ましく、これにより、第５レンズＬ５の材質のコストを抑えることが容易となり、レンズ系を安価にすることが容易となる。また、６５以下とすることがより好ましく、６０以下とすることがさらに好ましい。
【００９６】
第１レンズＬ１を構成する材質のｄ線に対する屈折率をＮｄ１としたとき、Ｎｄ１は１．５以上であることが好ましく、これにより、第１レンズＬ１の屈折率を高くすることが容易となり、レンズの広角化が容易となる。Ｎｄ１は１．５１以上であることがより好ましく、１．５５以上であることがさらに好ましい。
【００９７】
第１レンズＬ１を構成する材質のｄ線に対する屈折率をＮｄ１としたとき、Ｎｄ１は１．８５以下であることが好ましく、これにより、第１レンズＬ１の材質を安価にすることが容易となる。Ｎｄ１は１．８２以下であることがより好ましく、１．８０以下であることがさらに好ましい。
【００９８】
第２レンズＬ２を構成する材質のｄ線に対する屈折率をＮｄ２としたとき、Ｎｄ２は１．７０以上であることが好ましく、これにより、第２レンズＬ２のパワーを強くすることが容易となり、像面湾曲の補正が容易となる。Ｎｄ２は１．７２上であることがより好ましく、１．７５以上であることがさらに好ましい。
【００９９】
第２レンズＬ２を構成する材質のｄ線に対する屈折率をＮｄ２としたとき、Ｎｄ２は１．９５以下であることが好ましい、これにより、第２レンズＬ２の材質を安価にすることが容易となる。Ｎｄ２は１．９０以下であることがより好ましい。
第４レンズの材質のｄ線に対する屈折率をＮｄ４としたとき、Ｎｄ４は１．４８以上であることが好ましく、これにより、第４レンズＬ４のパワーを強くすることが容易となり、球面収差および像面湾曲の補正が容易となる。Ｎｄ４は１．４９以上であることがより好ましく、１．５０以上であることがさらに好ましい。
【０１００】
第４レンズの材質のｄ線に対する屈折率をＮｄ４としたとき、Ｎｄ４は１．６０以下であることが好ましく、これにより、第４レンズＬ４の材質のコストを下げることが容易となる。Ｎｄ４は１．５８以下であることがより好ましく、１．５５以下であることがさらに好ましい。
【０１０１】
第５レンズの材質のｄ線に対する屈折率をＮｄ５としたとき、Ｎｄ５は１．４８以上であることが好ましく、これにより、第５レンズＬ５のパワーを強くすることが容易となり、球面収差および像面湾曲の補正が容易となり、かつ光線が撮像素子へ入射する角度を抑えることが容易となり、シェーディングを抑えることが容易となる。
【０１０２】
開口絞りとは、レンズ系のＦ値（Ｆｎｏ）を決める絞りのことであり、開口絞りＳｔは第４レンズＬ４の像側の面より物体側に配置されていることが好ましい。開口絞りを第４レンズＬ４の像側の面より物体側に配置することで、第１レンズＬ１の開口径を小さくすることが容易となり、レンズ径の小型化が容易となる。例えば車載カメラとして使用される場合、車の外観を損なわないため、レンズのうち外部に露出する部分は小さくすることが求められる。開口絞りＳｔを第４レンズＬ４より物体側に配置することで、第１レンズＬ１の開口径を小さくすることが容易となり、レンズのうち外部に露出する部分を小さくすることが容易となる。さらに、光線が撮像素子に入射する角度を抑えることが容易となり、シェーディングを抑えることが容易となる。
【０１０３】
開口絞りＳｔは、第３レンズＬ３の像側の面より物体側に配置されていることが好ましく、これにより、第１レンズＬ１の開口径をさらに小さくすることが容易となる。
【０１０４】
開口絞りＳｔは、第２レンズＬ２の物体側の面より像側に配置されていることが好ましく、これにより、第５レンズＬ５のレンズ径を小さくすることが容易となる。
【０１０５】
開口絞りＳｔは、第３レンズＬ３の物体側の面と第２レンズＬ２の物体側の面との間に配置されていることが好ましく、これにより、第１レンズＬ１から第５レンズＬ５までのレンズの径のバランスをとることが容易となり、レンズ全体の径を小型化することが容易となる。
【０１０６】
第１レンズＬ１〜第５レンズＬ５の各レンズのいずれかの面を非球面とすることが好ましい。これにより、諸収差を良好に補正することができる。
【０１０７】
第３レンズＬ３の少なくとも片側の面を非球面とすることが好ましい。第３レンズＬ３の少なくとも片側の面を非球面とすることで、像面湾曲および球面収差を補正することが容易となり、良好な解像性能を得ることが可能となる。第３レンズＬ３は両面を非球面とすることがより好ましい。
【０１０８】
第３レンズＬ３の像側の面を非球面とすることが好ましい。第３レンズＬ３の像側の面は、中心と有効径端とがともに負のパワーを持ち、有効径端では中心と比較して負のパワーが弱い形状とすることが好ましい。第３レンズＬ３をこのような形状とすることで、像面湾曲および球面収差の補正が容易となる。
【０１０９】
なお、「面の有効径」とは、結像に寄与する全光線とレンズ面との交わる点を考えたとき、径方向における最も外側の点（最も光軸から離れた点）からなる円の直径を意味し、「有効径端」とは、この最も外側の点を意味するものとする。なお、光軸に対して回転対称の系においては、上記の最も外側の点からなる図形は円となるが、回転対称ではない系においては円とならない場合があり、そのような場合は、等価の円形を考えてその円の直径を有効径としてもよい。
【０１１０】
また、非球面の形状に関して、各レンズのレンズ面ｉ（ｉは該当するレンズ面を表す記号である。例えば、第３レンズＬ３の像側の面が７で表されるとき、第３レンズＬ３の像側の面に関する以下の説明はｉ＝７として考えることができる）上のある点をＸｉとして、その点での法線と光軸との交点をＰｉとするとき、Ｘｉ−Ｐｉの長さ（｜Ｘi−Ｐi｜）をＸｉ点での曲率半径の絶対値｜ＲＸｉ｜とし、Ｐｉをその点Ｘｉでの曲率中心と定義する。また、第ｉレンズ面と光軸の交点をＱｉとする。このとき点Ｘｉでのパワーは点Ｐｉが点Ｑｉを基準として物体側、像側のいずれの側にあるかで定義する。物体側の面においては点Ｐｉが点Ｑｉより像側にある場合を正のパワー、点Ｐｉが点Ｑｉより物体側にある場合を負のパワーと定義し、像側の面においては点Ｐｉが点Ｑｉより物体側にある場合を正のパワー、点Ｐｉが点Ｑｉより像側にある場合を負のパワーと定義する。
【０１１１】
中心と点Ｘｉとのパワーを比較する場合、中心の曲率半径（近軸の曲率半径）の絶対値と、点Ｘｉでの曲率半径の絶対値｜ＲＸｉ｜とを比較し、近軸の曲率半径絶対値より｜ＲＸｉ｜が小さくなっている場合、中心と比較して点Ｘｉのパワーは強くなっているものとする。逆に近軸の曲率半径絶対値より｜ＲＸｉ｜が大きくなっている場合、中心と比較して点Ｘｉのパワーは弱くなっているものとする。これは面が正のパワーである場合も負のパワーである場合も同様である。
【０１１２】
ここで、図２を参照しながら、上記の第３レンズＬ３の像側の面の形状について説明する。図２は図１で示した撮像レンズ１の光路図である。図２において、点Ｑ７は、第３レンズＬ３の像側の面の中心であり、第３レンズＬ３の像側の面と光軸Ｚとの交点である。また図２において、第３レンズＬ３の像側の面上の点Ｘ７は有効径端にあり、軸外光束３に含まれる最も外側の光線と第３レンズＬ３の像側の面との交点となっている。図２では点Ｘ７は有効径端にあるが、点Ｘ７は第３レンズＬ３の像側の面上の任意の点であるため、他の点でも同様に考えることができる。
【０１１３】
このとき、点Ｘ７でのレンズ面の法線と光軸Ｚとの交点を図２に示すように点Ｐ７とし、点Ｘ７と点Ｐ７を結ぶ線分Ｘ７−Ｐ７を点Ｘ７での曲率半径ＲＸ７と定義し、線分Ｘ７−Ｐ７の長さ｜Ｘ７−Ｐ７｜を曲率半径ＲＸ７の絶対値｜ＲＸ７｜と定義する。すなわち、｜Ｘ７−Ｐ７｜＝｜ＲＸ７｜である。また、点Ｑ７での曲率半径、すなわち、第３レンズＬ３の像側の面の中心の曲率半径をＲ７とし、その絶対値を｜Ｒ７｜とする（図２では不図示）。
【０１１４】
第３レンズＬ３の像側の面の「中心と有効径端とがともに負のパワーを持ち、有効径端では中心と比較して負のパワーが弱い形状」とは、点Ｘ７を有効径端とした場合に、点Ｑ７を含む近軸領域で凹形状であり、点Ｐ７が点Ｑ７より像側にあり、かつ、点Ｘ７での曲率半径の絶対値｜ＲＸ７|が点Ｑ７での曲率半径の絶対値｜Ｒ７｜よりも大きい形状を意味する。
【０１１５】
ここで、図２では理解を助けるために、半径｜Ｒ７｜で点Ｑ７を通り、光軸上の点を中心とする円ＣＱ７を一点鎖線で描き、半径｜ＲＸ７｜で点Ｘ７を通り、光軸上の点を中心とする円ＣＸ７の一部を破線で描いている。円ＣＸ７の方が円ＣＱ７よりも大きな円となっており、｜Ｒ７｜＜｜ＲＸ７｜であることが明示されている。
【０１１６】
第３レンズＬ３の物体側の面を非球面とすることが好ましい。第３レンズＬ３の物体側の面を、中心と有効径端とがともに負のパワーを持ち、有効径端では中心と比較して負のパワーが弱い形状とすることが好ましい。第３レンズＬ３の物体側の面をこのような形状とすることで、像面湾曲の補正が容易となる。
【０１１７】
第３レンズＬ３の物体側の面の上記形状は、図２を用いて説明した第３レンズＬ３の像側の面の形状と同様にして以下のように考えることができる。レンズ断面図において、第３レンズＬ３の物体側の面上のある点をＸ６として、その点での法線と光軸Ｚとの交点を点Ｐ６とするとき、点Ｘ６と点Ｐ６とを結ぶ線分Ｘ６−Ｐ６を点Ｘ６での曲率半径とし、点Ｘ６と点Ｐ６とを結ぶ線分の長さ｜Ｘ６−Ｐ６｜を点Ｘ６での曲率半径の絶対値｜ＲＸ６|とする。よって、｜Ｘ６−Ｐ６｜＝｜ＲＸ６｜となる。また、第３レンズＬ３の物体側の面と光軸Ｚとの交点、すなわち、第３レンズＬ３の物体側の面の中心を点Ｑ６とする。そして、点Ｑ６での曲率半径の絶対値を｜Ｒ６｜とする。
【０１１８】
第３レンズＬ３の物体側の面の「中心と有効径端とがともに負のパワーを持ち、有効径端では中心と比較して負のパワーが弱い形状」とは、点Ｘ６を有効径端とした場合に、点Ｑ６を含む近軸領域で凹形状であり、点Ｐ６が点Ｑ６より物体側にあり、かつ、点Ｘ６での曲率半径の絶対値｜ＲＸ６|が点Ｑ６での曲率半径の絶対値｜Ｒ６｜よりも大きい形状を意味する。
【０１１９】
第４レンズＬ４の少なくとも片側の面を非球面とすることが好ましい。第４レンズＬ４の少なくとも片側の面を非球面とすることで、像面湾曲および球面収差を補正することが容易となり、良好な解像性能を得ることが可能となる。第４レンズＬ４は両面を非球面とすることがより好ましい。
【０１２０】
第４レンズＬ４の像側の面は非球面とすることが好ましい。第４レンズＬ４の像側の面は、中心と有効径端とがともに正のパワーを持ち、有効径端では中心と比較して正のパワーが強い形状とすることが好ましい。第４レンズＬ４をこのような形状とすることで、球面収差および像面湾曲を良好に補正することができる。
【０１２１】
第４レンズＬ４の像側の面の上記形状は、図２を用いて説明した第３レンズＬ３の像側の面の形状と同様にして以下のように考えることができる。レンズ断面図において、第４レンズＬ４の像側の面上のある点をＸ９として、その点での法線と光軸Ｚとの交点を点Ｐ９とするとき、点Ｘ９と点Ｐ９とを結ぶ線分Ｘ９−Ｐ９を点Ｘ９での曲率半径とし、点Ｘ９と点Ｐ９とを結ぶ線分の長さ｜Ｘ９−Ｐ９｜を点Ｘ９での曲率半径の絶対値｜ＲＸ９|とする。よって、｜Ｘ９−Ｐ９｜＝｜ＲＸ９｜となる。また、第４レンズＬ４の像側の面と光軸Ｚとの交点、すなわち、第４レンズＬ４の像側の面の中心を点Ｑ９とする。そして、点Ｑ９での曲率半径の絶対値を｜Ｒ９｜とする。
【０１２２】
第４レンズＬ４の像側の面の「中心と有効径端とがともに正のパワーを持ち、有効径端では中心と比較して正のパワーが強い形状」とは、点Ｘ９を有効径端とした場合に、点Ｑ９を含む近軸領域で凸形状であり、点Ｐ９が点Ｑ９より物体側にあり、かつ、点Ｘ９での曲率半径の絶対値｜ＲＸ９|が点Ｑ９での曲率半径の絶対値｜Ｒ９｜よりも小さい形状を意味する。
【０１２３】
第４レンズＬ４の物体側の面を非球面とすることが好ましい。第４レンズＬ４の物体側の面は、中心と有効径端とがともに正のパワーを持ち、有効径端では中心と比較して正のパワーが弱い形状とすることが好ましい。第４レンズＬ４をこのような形状とすることで、球面収差および像面湾曲の補正が容易となる。
【０１２４】
第４レンズＬ４の物体側の面の上記形状は、図２を用いて説明した第３レンズＬ３の像側の面の形状と同様にして以下のように考えることができる。レンズ断面図において、第４レンズＬ４の物体側の面上のある点をＸ８として、その点での法線と光軸Ｚとの交点を点Ｐ８とするとき、点Ｘ８と点Ｐ８とを結ぶ線分Ｘ８−Ｐ８を点Ｘ８での曲率半径とし、点Ｘ８と点Ｐ８とを結ぶ線分の長さ｜Ｘ８−Ｐ８｜を点Ｘ８での曲率半径の絶対値｜ＲＸ８|とする。よって、｜Ｘ８−Ｐ８｜＝｜ＲＸ８｜となる。また、第４レンズＬ４の物体側の面と光軸Ｚとの交点、すなわち、第４レンズＬ４の物体側の面の中心を点Ｑ８とする。そして、点Ｑ８での曲率半径の絶対値を｜Ｒ８｜とする。
【０１２５】
第４レンズＬ４の物体側の面の「中心と有効径端とがともに正のパワーを持ち、有効径端では中心と比較して正のパワーが弱い形状」とは、点Ｘ８を有効径端とした場合に、点Ｑ８を含む近軸領域で凸形状であり、点Ｐ８が点Ｑ８より像側にあり、かつ、点Ｘ８での曲率半径の絶対値｜ＲＸ８|が点Ｑ８での曲率半径の絶対値｜Ｒ８｜よりも大きい形状を意味する。
【０１２６】
第５レンズＬ５の少なくとも片側の面を非球面とすることが好ましい。第５レンズＬ５の少なくとも片側の面を非球面とすることで、像面湾曲および球面収差を補正することが容易となり、良好な解像性能を得ることが可能となる。第５レンズＬ５は両面を非球面とすることがより好ましい。
【０１２７】
第５レンズＬ５の像側の面を非球面とすることが好ましい。第５レンズＬ５の像側の面は、中心と有効径端とがともに負のパワーを持ち、有効径端では中心と比較して負のパワーが弱い形状とすることが好ましい。第５レンズＬ５をこのような形状とすることで、球面収差および像面湾曲を良好に補正することが容易となる。
【０１２８】
第５レンズＬ５の像側の面の上記形状は、図２を用いて説明した第３レンズＬ３の像側の面の形状と同様にして以下のように考えることができる。レンズ断面図において、第５レンズＬ５の像側の面上のある点をＸ１１として、その点での法線と光軸Ｚとの交点を点Ｐ１１とするとき、点Ｘ１１と点Ｐ１１とを結ぶ線分Ｘ１１−Ｐ１１を点Ｘ１１での曲率半径とし、点Ｘ１１と点Ｐ１１とを結ぶ線分の長さ｜Ｘ１１−Ｐ１１｜を点Ｘ１１での曲率半径の絶対値｜ＲＸ１１|とする。よって、｜Ｘ１１−Ｐ１１｜＝｜ＲＸ１１｜となる。また、第５レンズＬ５の像側の面と光軸Ｚとの交点、すなわち、第５レンズＬ５の像側の面の中心を点Ｑ１１とする。そして、点Ｑ１１での曲率半径の絶対値を｜Ｒ１１｜とする。
【０１２９】
第５レンズＬ５の像側の面の「中心と有効径端とがともに負のパワーを持ち、有効径端では中心と比較して負のパワーが弱い形状」とは、点Ｘ１１を有効径端とした場合に、点Ｑ１１を含む近軸領域で凹形状であり、点Ｐ１１が点Ｑ１１より像側にあり、かつ、点Ｘ１１での曲率半径の絶対値｜ＲＸ１１|が点Ｑ１１での曲率半径の絶対値｜Ｒ１１｜よりも大きい形状を意味する。
【０１３０】
第５レンズＬ５の物体側の面を非球面とすることが好ましい。第５レンズＬ５の物体側の面は、中心と有効径端とがともに正のパワーを持ち、有効径端では中心と比較して正のパワーが弱い形状とすることが好ましい。第５レンズＬ５をこのような形状とすることで、コマ収差および像面湾曲を良好に補正することが容易となる。
【０１３１】
第５レンズＬ５の物体側の面の上記形状は、図２を用いて説明した第３レンズＬ３の像側の面の形状と同様にして以下のように考えることができる。レンズ断面図において、第５レンズＬ５の物体側の面上のある点をＸ１０として、その点での法線と光軸Ｚとの交点を点Ｐ１０とするとき、点Ｘ１０と点Ｐ１０とを結ぶ線分Ｘ１０−Ｐ１０を点Ｘ１０での曲率半径とし、点Ｘ１０と点Ｐ１０とを結ぶ線分の長さ｜Ｘ１０−Ｐ１０｜を点Ｘ１０での曲率半径の絶対値｜ＲＸ１０|とする。よって、｜Ｘ１０−Ｐ１０｜＝｜ＲＸ１０｜となる。また、第５レンズＬ５の物体側の面と光軸Ｚとの交点、すなわち、第５レンズＬ５の物体側の面の中心を点Ｑ１０とする。そして、点Ｑ１０での曲率半径の絶対値を｜Ｒ１０｜とする。
【０１３２】
第５レンズＬ５の物体側の面の「中心と有効径端とがともに正のパワーを持ち、有効径端では中心と比較して正のパワーが弱い形状」とは、点Ｘ１０を有効径端とした場合に、点Ｑ１０を含む近軸領域で凸形状であり、点Ｐ１０が点Ｑ１０より像側にあり、かつ、点Ｘ１０での曲率半径の絶対値｜ＲＸ１０|が点Ｑ１０での曲率半径の絶対値｜Ｒ１０｜よりも大きい形状を意味する。
【０１３３】
第１レンズＬ１を物体側に凸面を向けたレンズとすることが好ましい。第１レンズＬ１は負のパワーを持つため、物体側の面が凸面の場合、第１レンズＬ１をメニスカスレンズとすることができ、これにより、ディストーションの補正が容易となる。
【０１３４】
第１レンズＬ１の像側の面は凹面とすることが好ましい。第１レンズＬ１の像側の面を凹面とすることで、広角化が容易となる。
【０１３５】
第１レンズＬ１は物体側に凸面を向けたメニスカスレンズとすることが好ましい。これにより、ディストーションの補正が容易となる。
【０１３６】
第２レンズＬ２の物体側の面は凸面であることが好ましい。これにより、第２レンズＬ２のパワーを強くすることが容易となり、像面湾曲の補正が容易となる。
【０１３７】
第２レンズＬ２の像側の面は凸面であることが好ましい。これにより、第２レンズＬ２のパワーを強くすることが容易となり、像面湾曲の補正が容易となる。
【０１３８】
第２レンズＬ２は両凸レンズであることが好ましい。これにより、第２レンズＬ２のパワーを強くすることが容易となり、像面湾曲の補正が容易となる。
【０１３９】
第２レンズＬ２は、物体側の面の曲率半径の絶対値が、像側の面の曲率半径の絶対値より大きいレンズとすることが好ましい。これにより、ディストーションの補正が容易となる。
【０１４０】
第３レンズＬ３の物体側の面は凹面とすることが好ましい。これにより、第３レンズＬ３のパワーを強くすることが容易となり、軸上色収差の補正が容易となる。
【０１４１】
第３レンズＬ３の像側の面は凹面とすることが好ましい。これにより、第３レンズＬ３のパワーを強くすることが容易となり、軸上色収差の補正が容易となる。
【０１４２】
第３レンズＬ３は両凹レンズであることが好ましい。これにより、第３レンズＬ３のパワーを強くすることが容易となり、軸上色収差の補正が容易となる。
【０１４３】
第３レンズＬ３は、物体側の面の曲率半径の絶対値が、像側の面の曲率半径の絶対値より小さいレンズとすることが好ましい。これにより、像面湾曲の補正が容易となる。
【０１４４】
第４レンズＬ４の物体側の面は凸面であることが好ましい。これにより、第４レンズＬ４のパワーを強くすることが容易となり、球面収差および像面湾曲の補正が容易となる。
【０１４５】
第４レンズＬ４の像側の面は凸面であることが好ましい。これにより、第４レンズＬ４のパワーを強くすることが容易となり、球面収差および像面湾曲の補正が容易となる。
【０１４６】
第４レンズＬ４は両凸レンズであることが好ましい。これにより、第４レンズＬ４のパワーを強くすることが容易となり、球面収差および像面湾曲の補正が容易となる。
【０１４７】
第４レンズＬ４は像側に凸面を向けた平凸レンズであってもよい。
【０１４８】
第５レンズＬ５の物体側の面は凸面であることが好ましい。これにより、第５レンズＬ５のパワーを強くすることが容易となり、球面収差の補正が容易となり、かつ光線が撮像素子へ入射する角度を抑えることが容易となり、シェーディングを抑えることが容易となる。
【０１４９】
第５レンズＬ５の像側の面は凸面または平面とすることが好ましい。これにより、球面収差の補正が容易となり、かつ光線が撮像素子へ入射する角度を抑えることが容易となり、シェーディングを抑えることが容易となる。
【０１５０】
第５レンズＬ５の像側の面は凹面とすることが好ましい。これにより、像面湾曲の補正が容易となる。
【０１５１】
第５レンズＬ５は両凸レンズもしくは物体側に凸面を向けた平凸レンズとすることが好ましい。これにより、第５レンズＬ５のパワーを強くすることが容易となり、球面収差の補正が容易となるとともに、光線が撮像素子へ入射する角度を抑えることが容易となり、シェーディングを抑えることが容易となる。
【０１５２】
第５レンズＬ５は物体側に凸面を向けたメニスカスレンズとすることが好ましい。これにより、像面湾曲の補正が容易となる。
【０１５３】
第１レンズＬ１を負のパワー、第２レンズＬ２を正のパワー、第３レンズＬ３を負のパワー、第４レンズＬ４および第５レンズＬ５を正のパワーとすることが好ましい。これにより、第１レンズＬ１は負のパワーを持ち、第２レンズＬ２は正のパワーを持ち、第３レンズＬ３は負のパワーを持ち、第４レンズＬ４および第５レンズＬ５は正のパワーを持つため、物体側から順に負、正、負、正のパワー配置となる。このため、第１レンズＬ１と第２レンズＬ２、および第３レンズＬ３から第５レンズＬ５において、それぞれ負、正のパワーの組み合わせとすることで、各レンズで生じる収差を打ち消しあい、良好な解像性能を得ることが容易となる。また、負、正、負、正の最後の「正」のパワーを持つレンズを、第４レンズＬ４および第５レンズＬ５の２枚で構成することで、球面収差の補正が容易となる。
【０１５４】
第１レンズＬ１の材質はガラスであることが好ましい。撮像レンズが例えば車載用カメラや監視カメラ用等の厳しい環境において使用される場合には、最も物体側に配置される第１レンズＬ１は、風雨による表面劣化、直射日光による温度変化に強く、さらには油脂・洗剤等の化学薬品に強い材質、すなわち耐水性、耐候性、耐酸性および耐薬品性等が高い材質を用いることが要望され、また、堅く、割れにくい材質を用いることが要望されることがある。材質をガラスとすることで、これらの要望を満たすことが可能となる。また、第１レンズＬ１の材質として、透明なセラミックスを用いてもよい。
【０１５５】
なお、第１レンズＬ１の物体側の面に、強度、耐傷性および耐薬品性を高めるための保護手段を施してもよく、その場合には、第１レンズＬ１の材質をプラスチックとしてもよい。このような保護手段は、ハードコートであってもよく、撥水コートであってもよい。
【０１５６】
耐環境性のよい光学系を作製するためには、すべてのレンズがガラスであることが好ましい。監視カメラ用レンズや車載カメラ用レンズとして用いられた場合、高温から低温までの広い温度範囲や高湿等の様々な条件で用いられる可能性がある。それらに強い光学系を作製するためには、すべてのレンズがガラスで作製されていることが好ましい。
【０１５７】
第２レンズＬ２の材質はガラスであることが好ましい。第２レンズＬ２にガラスを用いることで、屈折率の高い材質を使用することが容易となり、第２レンズＬ２のパワーを強くすることが容易となるため、像面湾曲の補正が容易となる。また、第３レンズＬ３から第５レンズＬ５にプラスチックを用いた場合、凸レンズである第２レンズＬ２にガラスを用いることで、温度変化によるフォーカスシフトを抑えることが容易となる。
【０１５８】
第１レンズＬ１から第５レンズＬ５のいずれか、あるいはこれらのうちの任意の複数の組み合わせておいて、その材質をプラスチックとすることが好ましい。材質をプラスチックとすることで、レンズ系を安価で軽量化することが容易となるとともに、非球面形状を安価かつ正確に作製することができるため、球面収差および像面湾曲を良好に補正することが可能となる。
【０１５９】
温度変化に強いレンズ系を作製するためには、正のパワーのプラスチックレンズと負のパワーのプラスチックレンズとを有することが好ましい。プラスチックレンズは一般的に温度変化による特性の変化が大きく、これによりフォーカスシフトが発生してしまうが、レンズ系に正のパワーのプラスチックレンズと負のパワーのプラスチックレンズとを含むことで、パワー変化を打ち消しあい、性能劣化を最小限にとどめることが可能となる。
【０１６０】
プラスチックの材質としては、例えば、アクリル、ポリオレフィン系の材質、ポリカーボネイト系の材質、エポキシ樹脂、ＰＥＴ（Ｐｏｌｙｅｔｈｙｌｅｎｅ  ｔｅｒｅｐｈｔｈａｌａｔｅ）、ＰＥＳ（Ｐｏｌｙ  Ｅｔｈｅｒ  Ｓｕｌｐｈｏｎｅ）、ポリカーボネイト等を用いることができる。
【０１６１】
なお、撮像レンズ１の用途に応じて、レンズ系と撮像素子５との間に紫外光から青色光をカットするようなフィルタ、または赤外光をカットするようなＩＲ（ＩｎｆｒａＲｅｄ）カットフィルタを挿入してもよい。上記フィルタと同様の特性を持つコートをレンズ面に塗布してもよい。またはいずれかのレンズの材質として紫外光や青色光、赤外光等を吸収する材質を用いてもよい。
【０１６２】
図１では、レンズ系と撮像素子５との間に各種フィルタ等を想定した光学部材ＰＰを配置した例を示しているが、この代わりに、各レンズの間にこれらの各種フィルタを配置してもよい。あるいは、撮像レンズが有するいずれかのレンズのレンズ面に、各種フィルタと同様の作用を有するコートを施してもよい。
【０１６３】
なお、各レンズ間の有効径外を通過する光束は、迷光となって像面に達し、ゴーストとなるおそれがあるため、必要に応じて、この迷光を遮光する遮光手段を設けることが好ましい。この遮光手段としては、例えばレンズの有効径外の部分に不透明な塗料を施したり、不透明な板材を設けたりしてもよい。または迷光となる光束の光路に不透明な板材を設けて遮光手段としてもよい。あるいは、最も物体側のレンズのさらに物体側に迷光を遮断するフードのようなものを配置してもよい。一例として、図１では、第１レンズＬ１、第３レンズＬ３および第４レンズＬ４のそれぞれの像側の面の有効径外、並びに第５レンズＬ５の物体側の面の有効径外に遮光手段１１，１２，１３，１４を設けた例を示している。なお、遮光手段を設ける箇所は図１に示す例に限定されず、他のレンズや、レンズ間に配置してもよい。
【０１６４】
さらに、各レンズの間に周辺光量比が実用上問題のない範囲で周辺光線を遮断する絞り等の部材を配置してもよい。周辺光線とは、光軸Ｚ外の物点からの光線のうち、光学系の入射瞳の周辺部分を通る光線のことである。このように周辺光線を遮断する部材を配置することにより、結像領域周辺部の画質を向上させることができる。また、この部材でゴーストを発生させる光を遮断することにより、ゴーストを低減することが可能となる。
【０１６５】
また、レンズ系が、第１レンズＬ１、第２レンズＬ２、第３レンズＬ３、第４レンズＬ４および第５レンズＬ５の５枚のみからなるように構成することが好ましい。レンズ系を５枚のレンズのみで構成することで、レンズ系を安価にすることが可能となる。
【０１６６】
本実施形態に係る撮像装置は、本実施形態に係る撮像レンズを備えているため、小型で安価に構成でき、十分広い画角を有し、撮像素子を用いて解像度の高い良好な像を得ることができる。
【０１６７】
なお、第１から第３の実施形態に係る撮像レンズを備えた撮像装置で撮影した画像を携帯電話に表示するようにしてもよい。例えば本実施形態の撮像レンズを備えた撮影装置を車載カメラとして自動車に搭載し、自動車の背後や周辺を車載カメラにより撮影し、撮影により取得した画像を表示装置に表示する場合がある。このような場合、カーナビゲーションシステム（以下カーナビとする）が搭載されている自動車においては、撮影した画像はカーナビの表示装置に表示すればよいが、カーナビが搭載されていない場合、液晶ディスプレイ等の専用の表示装置を自動車に設置する必要がある。しかしながら、表示装置は高価である。一方、近年の携帯電話は、動画やＷｅｂの閲覧が可能になる等、高性能な表示装置が搭載されている。携帯電話を車載カメラ用の表示装置として用いることで、カーナビが搭載されていない自動車に関しても、専用の表示装置を搭載する必要が無くなり、その結果、安価に車載カメラを搭載することが可能となる。
【０１６８】
ここで、車載カメラが撮影した画像は、ケーブル等を用いて有線にて携帯電話に送信してもよく、赤外線通信等の無線により携帯電話に送信してもよい。また、携帯電話等と自動車の作動状態とを連動させ、自動車のギアがバックに入ったり、ウインカー等を出したりした際に、自動で携帯電話の表示装置に車載カメラの画像を表示するようにしてもよい。
【０１６９】
なお、車載カメラの画像を表示する表示装置としては、携帯電話のみならず、ＰＤＡ等の携帯情報端末でもよく、小型のパソコンでもよく、あるいは持ち歩き可能な小型のカーナビでもよい。
【０１７０】
また、本発明の撮像レンズを搭載した携帯電話を自動車に固定することで、車載カメラとして使用してもよい。近年のスマートホンはＰＣ並の処理能力を備えているため、例えば携帯電話を自動車のダッシュボード等に固定し、カメラを前方に向けることで、携帯電話のカメラを車載カメラと同様に用いることが可能となる。なお、スマートホンのアプリケーションとして、白線や道路標識を認識し、警告を行う機能を備えていてもよい。また、運転手にカメラを向け、居眠りや脇見の際に警告を行うシステムとしてもよい。また、自動車と連動し、ハンドルを操作するシステムの一部としてもよい。自動車は高温環境や低温環境に放置されるため、車載カメラは厳しい耐環境性が要求される。本発明の撮像レンズを携帯電話に搭載した場合、運転時以外は携帯電話は運転手とともに車外に出てしまうため、撮像レンズの耐環境性をゆるめることが可能となり、安価に車載システムを導入することが可能となる。
【０１７１】
〔撮像レンズの数値実施例〕
次に、本発明の撮像レンズの数値実施例について説明する。実施例１〜実施例１３の撮像レンズのレンズ断面図をそれぞれ図３〜図１５に示す。図３〜図１５において、図の左側が物体側、右側が像側であり、図１と同様、開口絞りＳｔ、光学部材ＰＰ、像面Ｓｉｍに配置された撮像素子５も併せて図示している。各図の開口絞りＳｔは形状や大きさを表すものではなく、光軸Ｚ上の位置を示すものである。各実施例において、レンズ断面図の符号Ｒｉ、Ｄｉ（ｉ＝１、２、３、…）は以下に説明するレンズデータのＲｉ、Ｄｉと対応している。
【０１７２】
表１〜表１３にそれぞれ実施例１〜実施例１３の撮像レンズのレンズデータを示す。各表の（Ａ）には基本レンズデータを、（Ｂ）には各種データを、（Ｃ）には非球面データを示している。
【０１７３】
基本レンズデータにおいて、Ｓｉの欄は最も物体側の構成要素の物体側の面を１番目として像側に向かうに従い順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。なお、曲率半径の符号は、面形状が物体側に凸の場合を正、像側に凸の場合を負としている。また、Ｎｄｊの欄は最も物体側のレンズを１番目として像側に向かうに従い順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。なお、基本レンズデータには、開口絞りＳｔおよび光学部材ＰＰも含めて示しており、開口絞りＳｔに相当する面の面番号の欄には、（Ｓｔ）という語句を併せて記載している。また、撮像面はＩＭＧと記載している。
【０１７４】
基本レンズデータでは、非球面の面番号に＊印を付しており、非球面の曲率半径として近軸曲率半径（中心の曲率半径）の数値を示している。非球面データには、非球面の面番号と、各非球面に関する非球面係数を示す。非球面データの数値の「Ｅ−ｎ」（ｎ：整数）は「×１０-n」を意味し、「Ｅ＋ｎ」は「×１０n」を意味する。なお、非球面係数は、以下の式で表される非球面式における各係数ＫＡ、ＲＢｍ（ｍ＝３、４、５、…２０）の値である。
【０１７５】
Ｚｄ＝Ｃ・ｈ2／｛１＋（１−ＫＡ・Ｃ2・ｈ2）1/2｝＋ΣＲＢｍ・ｈm
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率半径の逆数
ＫＡ、ＲＢｍ：非球面係数（ｍ＝３、４、５、…２０）
各種データにおいて、Ｌ（in Air）は第１レンズＬ１の物体側の面から像面Ｓｉｍまでの光軸Ｚ上の距離（バックフォーカス分は空気換算長）、Ｂｆ（in Air）は最も像側のレンズの像側の面から像面Ｓｉｍまでの光軸Ｚ上の距離（バックフォーカスに相当、空気換算長）、ｆは全系の焦点距離、ｆ１は第１レンズＬ１の焦点距離、ｆ２は第２レンズＬ２の焦点距離、ｆ３は第３レンズＬ３の焦点距離、ｆ４は第４レンズＬ４の焦点距離、ｆ５は第５レンズＬ５の焦点距離、ｆ１２は第１レンズＬ１と第２レンズＬ２との合成焦点距離、ｆ４５は第４レンズＬ４と第５レンズＬ５との合成焦点距離、ｆ３４５は第３レンズＬ３と第４レンズＬ４と第５レンズＬ５との合成焦点距離である。
【０１７６】
また、表１４，１５に各実施例の条件式（１）〜（１６）に対応する値を一括して示す。なお、条件式（１）はＮｄ３、条件式（２）はνｄ３、条件式（３）は（Ｒ１＋Ｒ２）／（Ｒ１−Ｒ２）、条件式（４）は（Ｒ３＋Ｒ４）／（Ｒ３−Ｒ４）、条件式（５）はｆ１２／ｆ、条件式（６）はＲ１／ｆ、条件式（７）はｆ１／ｆ、条件式（８）は（Ｒ８＋Ｒ９）／（Ｒ８−Ｒ９）、条件式（９）は（Ｒ１０＋Ｒ１１）／（Ｒ１０−Ｒ１１）、条件式（１０）はｆ３／ｆ、条件式（１１）はｆ４／ｆ、条件式（１２）はｆ４５／ｆ３、条件式（１３）はｆ３４５／ｆ、条件式（１４）はｆ１２／ｆ３４５、条件式（１５）は（ＤＡ＋ＤＢ）／ｆ、条件式（１６）はｆ１／ｆ２である。
【０１７７】
ただし、
Ｌ：第１レンズＬ１の物体側の面頂点から像面までの距離（バックフォーカス分は空気換算長）
Ｂｆ：第５レンズＬ５レンズの像側の面頂点から像面までの距離（空気換算長）
ｆ：全系の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ１２：第１レンズＬ１および第２レンズＬ２の合成焦点距離
ｆ４５：第４レンズＬ４および第５レンズＬ５の合成焦点距離
ｆ３４５：第３レンズＬ３、第４レンズＬ４および第５レンズＬ５の合成焦点距離
Ｒ１：第１レンズＬ１の物体側の面の曲率半径
Ｒ２：第１レンズＬ１の像側の面の曲率半径
Ｒ３：第２レンズＬ２の物体側の面の曲率半径
Ｒ４：第２レンズＬ２の像側の面の曲率半径
Ｒ８：第４レンズＬ４の物体側の面の曲率半径
Ｒ９：第４レンズＬ４の像側の面の曲率半径
Ｒ１０：第５レンズＬ５の物体側の面の曲率半径
Ｒ１１：第５レンズＬ５の像側の面の曲率半径
ＤＡ：第２レンズＬ２の中心厚
ＤＢ：第２レンズＬ２および第３レンズＬ３の空気間隔
各数値の単位として、長さについては「ｍｍ」を用いているが、これは一例であり、光学系は比例拡大または比例縮小しても使用可能なため、他の適当な単位を用いることもできる。
【表１】
0005826431.tif 000002
【表２】
0005826431.tif 000003
【表３】
0005826431.tif 000004
【表４】
0005826431.tif 000005
【表５】
0005826431.tif 000006
【表６】
0005826431.tif 000007
【表７】
0005826431.tif 000008
【表８】
0005826431.tif 000009
【表９】
0005826431.tif 000010
【表１０】
0005826431.tif 000011
【表１１】
0005826431.tif 000012
【表１２】
0005826431.tif 000013
【表１３】
0005826431.tif 000014
【表１４】
0005826431.tif 000015
【表１５】
0005826431.tif 000016
【０１７８】
上記実施例２、３、４、５、６、７、８、１０、１３では所定の面で光線をカットすることを想定した実施例となっている。実施例２、３、６では第５レンズＬ５の物体側の面φ４．６４、実施例４では第４レンズＬ４の物体側の面でφ３．８、実施例５では第４レンズＬ４の像側の面でφ４．７、実施例７、８では第５レンズＬ５の物体側の面φ４．８、実施例１０では第５レンズＬ５の物体側の面φ５．４、実施例１３では第５レンズＬ５の物体側の面φ５．６となっている。
【０１７９】
上記実施例１〜１３の撮像レンズにおいて、第１レンズＬ１および第２レンズＬ２はガラス球面レンズであり、第３レンズＬ３から第５レンズＬ５はプラスチック非球面レンズである。例えば実施例１〜１３の第１レンズＬ１および第２レンズＬ２において、屈折率Ｎｄ：１．７５５００、アッベ数νｄ：５２．３となる材質は、オハラ社のＳ−ＹＧＨ５１であるが、同等の特性を持つ他社材質を用いてもよい。例えばＨＯＹＡ社ＴＡＣ６、住田社Ｋ−ＬＡＳＫＮ１、または成都光明社Ｈ−ＬＡＫ５３Ａ等を使用してもよい。
【０１８０】
屈折率Ｎｄ：１．８３４８１、アッベ数νｄ：４２．７となる材質は、オハラ社Ｓ−ＬＡＨ５５Ｖであるが、ＨＯＹＡ社ＴＡＦＤ５Ｆ、住田社Ｋ−ＬＡＳＦＮ８、または成都光明社Ｈ−ＺＬＡＦ５５Ａ等を使用してもよい。
【０１８１】
屈折率Ｎｄ：１．５８９１３、アッベ数νｄ：６１．１となる材質は、オハラ社Ｓ−ＢＡＬ３５であるが、ＨＯＹＡ社ＢＡＣＤ５、住田社Ｋ−ＳＫ５、または成都光明社Ｈ−ＺＫ３等を使用してもよい。
【０１８２】
屈折率Ｎｄ：１．８０４００、アッベ数νｄ：４６．６となる材質は、オハラ社Ｓ−ＬＡＨ６５Ｖであるが、ＨＯＹＡ社ＴＡＦ３、住田社Ｋ−ＬＡＳＦＮ６、または成都光明社Ｈ−ＺＬＡＦ５０Ｄ等を使用してもよい。
【０１８３】
屈折率Ｎｄ：１．５１６８０、アッベ数νｄ：６４．２となる材質は、ＨＯＹＡ社ＢＳＣ７であるが、オハラ社Ｓ−ＢＳＬ７、住田社Ｋ−ＢＫ７、成都光明社Ｈ−Ｋ９Ｌ、またはショット社Ｎ−ＢＫ７等を使用してもよい。
【０１８４】
屈折率Ｎｄ：１．７１３００、アッベ数νｄ：５３．９となる材質は、オハラ社Ｓ−ＬＡＬ８であるが、ＨＯＹＡ社ＬＡＣ８、住田社Ｋ−ＬＡＫ８、または成都光明社Ｈ−ＬＡＫ７Ａ等を使用してもよい。
【０１８５】
屈折率Ｎｄ：１．８２０８０、アッベ数νｄ：４２．７となる材質は、ＨＯＹＡ社Ｍ−ＴＡＦＤ５１であるが、光ガラス社Ｑ−ＬＡＳＦＨ５９Ｓ等を使用してもよい。
【０１８６】
屈折率Ｎｄ：１．８８３００、アッベ数νｄ：４０．８となる材質は、オハラ社Ｓ−ＬＡＨ５８であるが、ＨＯＹＡ社ＴＡＦＤ３０、住田社Ｋ−ＬＡＳＦＮ１７、または成都光明社Ｈ−ＺＬＡＦ６８等を使用してもよい。
【０１８７】
［収差性能］
上記実施例１〜１３に係る撮像レンズの各収差図をそれぞれ、図１６（Ａ）〜図１６（Ｄ）、図１７（Ａ）〜図１７（Ｄ）、図１８（Ａ）〜図１８（Ｄ）、図１９（Ａ）〜図１９（Ｄ）、図２０（Ａ）〜図２０（Ｄ）、図２１（Ａ）〜図２１（Ｄ）、図２２（Ａ）〜図２２（Ｄ）、図２３（Ａ）〜図２３（Ｄ）、図２４（Ａ）〜図２４（Ｄ）、図２５（Ａ）〜図２５（Ｄ）、図２６（Ａ）〜図２６（Ｄ）、図２７（Ａ）〜図２７（Ｄ）、図２８（Ａ）〜図２８（Ｄ）に示す。
【０１８８】
ここでは、実施例１の収差図を例にとり説明するが、他の実施例の収差図についても同様である。図１６（Ａ）、図１６（Ｂ）、図１６（Ｃ）および図１６（Ｄ）はそれぞれ、実施例１に係る撮像レンズの球面収差、非点収差、ディストーション（歪曲収差）および倍率色収差（倍率の色収差）の収差図を示す。球面収差図のＦはＦ値を意味し、その他の収差図のωは半画角を意味する。ディストーションの図は、全系の焦点距離ｆ、画角φ（変数扱い、０≦φ≦ω）を用いて、理想像高をｆ×ｔａｎ（φ）とし、それからのズレ量を示す。各収差図には、ｄ線（波長５８７．５６ｎｍ）を基準波長とした収差を示すが、球面収差図には、Ｆ線（波長４８６．１３ｎｍ）、Ｃ線（波長６５６．２７ｎｍ）、正弦条件違反量（ＳＮＣと表記）についての収差も示し、倍率色収差図にはＦ線およびＣ線についての収差を示す。倍率色収差図の線種は球面収差図のものと同じであるため、その表記を省略している。
【０１８９】
以上のデータから分かるように、実施例１〜１３の撮像レンズは、５枚という少ないレンズ枚数で構成され、小型で安価に作製可能である上、Ｆ値が１．９と小さく、各収差が良好に補正されて良好な光学性能を有する。これらの撮像レンズは、監視カメラや、自動車の前方、側方、後方等の映像を撮影するための車載用カメラ等に好適に使用可能である。
【０１９０】
〔撮像装置の実施形態〕
図２９に使用例として、自動車１００に本実施形態の撮像レンズを備えた撮像装置を搭載した様子を示す。図２９において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、本発明の実施形態に係る撮像装置であり、本発明の実施例の撮像レンズと、この撮像レンズにより形成される光学像を電気信号に変換する撮像素子とを備えている。
【０１９１】
本発明の実施例に係る撮像レンズは、上述した長所を有するものであるから、車外カメラ１０１、１０２および車内カメラ１０３も小型で安価に構成でき、広い画角を有し、結像領域周辺部まで良好な映像を得ることができる。
【０１９２】
以上、実施形態および実施例を挙げて本発明を説明したが、本発明は上記実施形態および実施例に限定されず、種々の変形が可能である。例えば、各レンズ成分の曲率半径、面間隔、屈折率およびアッベ数の値は、上記各数値実施例で示した値に限定されず、他の値をとり得るものである。
【０１９３】
なお、上記した実施例ではすべてのレンズを均質な材料により構成しているが、屈折率分布型のレンズを用いてもよい。また、上記した実施例では第３レンズＬ３〜第５レンズＬ５を非球面が施された屈折型レンズにより構成しているものがあるが、１つの面もしくは複数の面に回折光学素子を形成してもよい。
【０１９４】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【図１】
0005826431.tif 000017
【図３】
0005826431.tif 000018
【図４】
0005826431.tif 000019
【図５】
0005826431.tif 000020
【図６】
0005826431.tif 000021
【図７】
0005826431.tif 000022
【図８】
0005826431.tif 000023
【図９】
0005826431.tif 000024
【図１０】
0005826431.tif 000025
【図１１】
0005826431.tif 000026
【図１２】
0005826431.tif 000027
【図１３】
0005826431.tif 000028
【図１４】
0005826431.tif 000029
【図１５】
0005826431.tif 000030
【図１６】
0005826431.tif 000031
【図１７】
0005826431.tif 000032
【図１８】
0005826431.tif 000033
【図１９】
0005826431.tif 000034
【図２０】
0005826431.tif 000035
【図２１】
0005826431.tif 000036
【図２２】
0005826431.tif 000037
【図２３】
0005826431.tif 000038
【図２４】
0005826431.tif 000039
【図２５】
0005826431.tif 000040
【図２６】
0005826431.tif 000041
【図２７】
0005826431.tif 000042
【図２８】
0005826431.tif 000043
【図２９】
0005826431.tif 000044
【図２】
0005826431.tif 000045